(57)【要約】【課題】小型化を実現した印刷装置を提供する。【解決手段】印刷装置は、装着部６、およびパーシャルカット機構を備える。装着部６は、カセットが装着される凹部である。カセットの排出口７３から排出されるテープが搬送される経路は、前後方向に延びる搬送経路１２である。装着部６は、カセットから排出されるテープが通過する通過部６Ａを有する。パーシャルカット機構は、受台１７３と可動ホルダ１３０を備える。受台１７３は搬送経路１２に対して左側に配置される。可動ホルダ１３０は、搬送経路１２に対して右側となる位置から受台１７３に向けて揺動する。この場合、装着部６のうちで通過部６Ａよりも右側となる部位と、可動ホルダ１３０の可動領域は、搬送方向に並ぶ。搬送方向は、搬送経路１２に沿ってテープが搬送される方向であり、一例として前後方向である。【選択図】図１６
2019177489.tif 000002
【特許請求の範囲】
【請求項１】
印刷媒体が排出される排出口を有するカセットが装着可能な凹部であって、前記排出口から排出された前記印刷媒体が通過する通過部を含む装着部と、
前記排出口から排出される前記印刷媒体を搬送する搬送手段と、
前記印刷媒体を印刷する印刷ヘッドと、
前記通過部よりも、前記印刷媒体が搬送される搬送方向の下流側に設けられ、前記印刷媒体をフルカットするフルカット機構と、
前記フルカット機構よりも前記搬送方向の下流側に設けられ、前記印刷媒体をパーシャルカットするパーシャルカット機構とを備え、
前記通過部は、前記装着部の深さ方向と前記搬送方向とに直交する所定方向において、前記装着部のうちで第一側となる部位であり、
前記フルカット機構は、
前記排出口から排出される前記印刷媒体が搬送される経路である搬送経路に対して、前記第一側とは反対の第二側で固定され、前記印刷媒体が配置される固定部と、
前記固定部と対向する刃先である第一刃先を有し、前記第一刃先が前記搬送経路に対して前記第一側となる位置から前記固定部に向かう方向に移動するフルカット部とを備え、
前記パーシャルカット機構は、
前記搬送経路に対して前記第一側に設けられ、前記印刷媒体が配置される配置台と、
前記搬送経路に対して前記第二側で移動可能に設けられ、移動方向に沿って前記配置台と対向する刃先である第二刃先を有するパーシャルカット部とを備えることを特徴とする印刷装置。
【請求項２】
印刷媒体が排出される排出口を有するカセットが装着可能な凹部であって、前記排出口から排出された前記印刷媒体が通過する通過部を含む装着部と、
前記排出口から排出される前記印刷媒体を搬送する搬送手段と、
前記印刷媒体を印刷する印刷ヘッドと、
前記通過部よりも、前記印刷媒体が搬送される搬送方向の下流側に設けられ、前記印刷媒体をフルカットするフルカット機構と、
前記フルカット機構よりも前記搬送方向の下流側に設けられ、前記印刷媒体をパーシャルカットするパーシャルカット機構とを備え、
前記通過部は、前記装着部の深さ方向と前記搬送方向とに直交する所定方向において、前記装着部の中心よりも第一側にあり、
前記フルカット機構は、
前記排出口から排出される前記印刷媒体が搬送される経路である搬送経路に対して、前記第一側とは反対の第二側で固定され、前記印刷媒体が配置される固定部と、
前記固定部と対向する刃先である第一刃先を有し、前記第一刃先が前記搬送経路に対して前記第一側となる位置から前記固定部に向かう方向に移動するフルカット部とを備え、
前記パーシャルカット機構は、
前記搬送経路に対して前記第一側に設けられ、前記印刷媒体が配置される配置台と、
前記搬送経路に対して前記第二側で移動可能に設けられ、移動方向に沿って前記配置台と対向する刃先である第二刃先を有するパーシャルカット部とを備えることを特徴とする印刷装置。
【請求項３】
前記搬送経路は、前記印刷ヘッドに対して、前記所定方向において前記第一側に設けられることを特徴とする請求項１又は２に記載の印刷装置。
【請求項４】
前記フルカット部は、前記搬送経路に対して前記第一側となる位置から前記固定部に向かう方向に移動する可動部を有し、
前記フルカット部の移動方向における前記可動部の長さは、前記パーシャルカット部の移動方向における前記パーシャルカット部の長さよりも短いことを特徴とする請求項１から３のいずれかに記載の印刷装置。
【請求項５】
単一のモータと、
前記モータの一定方向の駆動力で前記第二刃先を前記配置台に向けて移動させ、前記一定方向とは反対方向の駆動力で前記第一刃先を前記固定部に向けて移動させる移動機構と
を備えることを特徴とする請求項１から４のいずれかに記載の印刷装置。
【請求項６】
前記モータは、前記搬送経路に対して前記第二側にあることを特徴とする請求項５に記載の印刷装置。
【請求項７】
前記モータは、前記パーシャルカット部に対して前記搬送方向の下流側から向かい合うことを特徴とする請求項６に記載の印刷装置。
【請求項８】
前記移動機構は、前記モータ、前記フルカット部、及び前記パーシャルカット部と連結する回転体を備え、
前記回転体は、
前記モータの前記一定方向の駆動に伴い第一回転方向に回転することで、前記パーシャルカット部と前記フルカット部のうちで前記パーシャルカット部を、前記第二刃先が前記配置台に向かう方向に移動させ、
前記モータの前記一定方向とは反対方向の駆動に伴い第一回転方向とは反対方向に回転することで、前記パーシャルカット部と前記フルカット部のうちで前記フルカット部を、前記第一刃先が前記固定部に向かう方向に移動させることを特徴とする請求項５から７のいずれかに記載の印刷装置。
【請求項９】
前記モータは、モータギアが固定された出力軸を有し、
前記モータギアから伝達される駆動力を前記回転体に伝達する複数のギアであって、前記モータの前記出力軸よりも前記第二側にて前記深さ方向に沿って配列されたギア列を備え、
前記複数のギアのうちで最も従動側のギアである特定ギアは、前記回転体と一体的に形成されることを特徴とする請求項８に記載の印刷装置。
【請求項１０】
前記モータは、前記搬送経路に対して前記第二側に設けられ、
前記フルカット部は、前記搬送経路に対して前記第二側に設けられ、前記モータの駆動力が伝わる第一伝達部を備えることを特徴とする請求項９に記載の印刷装置。
【請求項１１】
前記パーシャルカット部は、
前記第二刃先が延びる方向における前記第二刃先の中心よりも一方側で回転可能に支持される支持部と、
前記第二刃先の中心に対して前記支持部とは反対側に設けられ、前記モータの駆動力が伝わる第二伝達部と
を備えることを特徴とする請求項５から１０のいずれかに記載の印刷装置。
【請求項１２】
前記搬送経路に対して前記第二側、且つ前記パーシャルカット機構に対して前記搬送方向の下流側に設けられた特定部材と、
前記搬送経路に対して前記第一側に設けられ、前記深さ方向を軸方向として回転可能なローラであって、前記特定部材との間で前記印刷媒体を挟むニップ位置と、前記ニップ位置から前記第一側に離隔するリリース位置との間を移動可能な排出ローラと、
前記排出ローラを回転させる排出モータと
を備えることを特徴とする請求項１から１１のいずれかに記載の印刷装置。
【請求項１３】
前記通過部は、前記装着部のうちで、前記搬送方向の下流側の端部、且つ前記第一側の端部であることを特徴とする請求項１から１２のいずれかに記載の印刷装置。
【発明の詳細な説明】
【技術分野】
【０００１】
本発明は、印刷媒体を切断する印刷装置に関する。
【背景技術】
【０００２】
従来、印刷媒体を切断する印刷装置が知られている。印刷媒体の切断には、印刷媒体を一部を残して切断するハーフカット（部分カット、パーシャルカットともいう）と、印刷媒体を完全に切り離すように切断するフルカットとがある。
【０００３】
例えば、特許文献１に開示される印刷装置は、カートリッジホルダ、プラテンローラ、搬送用モータ、受台、ハーフカット刃、及びハーフカッタモータを備える。カートリッジホルダには、カートリッジが収納される。プラテンローラは、カートリッジホルダに収納されたカートリッジ内のラベル用テープを、搬送用モータの駆動力により搬送する。受台は、カートリッジホルダよりも、ラベル用テープの搬送方向の下流側に設けられる。ハーフカット刃は、ラベル用テープと対向する位置に設けられ、ハーフカッタモータの駆動力により移動可能である。ハーフカット刃は、ラベル用テープの搬送経路に対して受台とは反対側から受台に向けて移動し、受台との間で挟んだラベル用テープをハーフカットする。
【先行技術文献】
【特許文献】
【０００４】
【特許文献１】特開２００７−２１６６１７号公報
【発明の概要】
【発明が解決しようとする課題】
【０００５】
上記印刷装置において、より大きなテープ幅のテープを切断できるようにハーフカット刃の長さを長くした場合、ハーフカット刃の移動領域が大きくなり、印刷装置が大型化する虞がある。
【０００６】
本発明の目的は、小型化を実現した印刷装置を提供することである。
【課題を解決するための手段】
【０００７】
本発明の第一態様に係る印刷装置は、印刷媒体が排出される排出口を有するカセットが装着可能な凹部であって、前記排出口から排出された前記印刷媒体が通過する通過部を含む装着部と、前記排出口から排出される前記印刷媒体を搬送する搬送手段と、前記印刷媒体を印刷する印刷ヘッドと、前記通過部よりも、前記印刷媒体が搬送される搬送方向の下流側に設けられ、前記印刷媒体をフルカットするフルカット機構と、前記フルカット機構よりも前記搬送方向の下流側に設けられ、前記印刷媒体をパーシャルカットするパーシャルカット機構とを備え、前記通過部は、前記装着部の深さ方向と前記搬送方向とに直交する所定方向において、前記装着部のうちで第一側となる部位であり、前記フルカット機構は、前記排出口から排出される前記印刷媒体が搬送される経路である搬送経路に対して、前記第一側とは反対の第二側で固定され、前記印刷媒体が配置される固定部と、前記固定部と対向する刃先である第一刃先を有し、前記第一刃先が前記搬送経路に対して前記第一側となる位置から前記固定部に向かう方向に移動するフルカット部とを備え、前記パーシャルカット機構は、前記搬送経路に対して前記第一側に設けられ、前記印刷媒体が配置される配置台と、前記搬送経路に対して前記第二側で移動可能に設けられ、移動方向に沿って前記配置台と対向する刃先である第二刃先を有するパーシャルカット部とを備えることを特徴とする。
【０００８】
上記構成によれば、通過部よりも第二側にある装着部の部位と、パーシャルカット部の可動領域は、搬送方向に並ぶ。これにより、装着部とパーシャルカット部の可動領域とを配置するスペースは、所定方向に小さくなる。よって、印刷装置は小型化できる。
【０００９】
本発明の第二態様に係る印刷装置は、印刷媒体が排出される排出口を有するカセットが装着可能な凹部であって、前記排出口から排出された前記印刷媒体が通過する通過部を含む装着部と、前記排出口から排出される前記印刷媒体を搬送する搬送手段と、前記印刷媒体を印刷する印刷ヘッドと、前記通過部よりも、前記印刷媒体が搬送される搬送方向の下流側に設けられ、前記印刷媒体をフルカットするフルカット機構と、前記フルカット機構よりも前記搬送方向の下流側に設けられ、前記印刷媒体をパーシャルカットするパーシャルカット機構とを備え、前記通過部は、前記装着部の深さ方向と前記搬送方向とに直交する所定方向において、前記装着部の中心よりも第一側にあり、前記フルカット機構は、前記排出口から排出される前記印刷媒体が搬送される経路である搬送経路に対して、前記第一側とは反対の第二側で固定され、前記印刷媒体が配置される固定部と、前記固定部と対向する刃先である第一刃先を有し、前記第一刃先が前記搬送経路に対して前記第一側となる位置から前記固定部に向かう方向に移動するフルカット部とを備え、前記パーシャルカット機構は、前記搬送経路に対して前記第一側に設けられ、前記印刷媒体が配置される配置台と、前記搬送経路に対して前記第二側で移動可能に設けられ、移動方向に沿って前記配置台と対向する刃先である第二刃先を有するパーシャルカット部とを備えることを特徴とする。
【００１０】
上記構成によれば、搬送経路よりも第二側にある装着部の部位と、パーシャルカット部の可動領域は、搬送方向に並ぶ。これにより、装着部とパーシャルカット部の可動領域とを配置するスペースは、所定方向に小さくなる。よって、印刷装置は小型化できる。
【００１１】
前記印刷装置では、前記搬送経路は、前記印刷ヘッドに対して、前記所定方向において前記第一側に設けられてもよい。印刷ヘッドよりも第二側にある装着部の部位と、パーシャルカット部の可動領域は、搬送方向に並ぶ。これにより、装着部とパーシャルカット部の可動領域とを配置するスペースは、所定方向に小さくなる。よって、印刷装置は小型化できる。
【００１２】
前記印刷装置では、前記フルカット部は、前記搬送経路に対して前記第一側となる位置から前記固定部に向かう方向に移動する可動部を有し、前記フルカット部の移動方向における前記可動部の長さは、前記パーシャルカット部の移動方向における前記パーシャルカット部の長さよりも短くてもよい。この場合、可動部を搬送経路に対して第一側に配置しても、印刷装置の大型化の影響は小さい。よって、印刷装置は小型化できる。
【００１３】
前記印刷装置は、単一のモータと、前記モータの一定方向の駆動力で前記第二刃先を前記配置台に向けて移動させ、前記一定方向とは反対方向の駆動力で前記第一刃先を前記固定部に向けて移動させる移動機構とを備えてもよい。この場合、印刷媒体に対するパーシャルカットとフルカットは、単一のモータの駆動力により実現される。よって、印刷装置は簡易化できる。
【００１４】
前記印刷装置では、前記モータは、前記搬送経路に対して前記第二側にあってもよい。この場合、装着部とモータを配置するスペースは、所定方向に小さくなる。よって、印刷装置は小型化できる。
【００１５】
前記印刷装置では、前記モータは、前記パーシャルカット部に対して前記搬送方向の下流側から向かい合ってもよい。この場合、モータとパーシャルカット部は互いに近接する。モータとパーシャルカット部が配置されるスペースが所定方向と搬送方向とに小さくなるので、印刷装置は更に小型化できる。
【００１６】
前記印刷装置では、前記移動機構は、前記モータ、前記フルカット部、及び前記パーシャルカット部と連結する回転体を備え、前記回転体は、前記モータの前記一定方向の駆動に伴い第一回転方向に回転することで、前記パーシャルカット部と前記フルカット部のうちで前記パーシャルカット部を、前記第二刃先が前記配置台に向かう方向に移動させ、前記モータの前記一定方向とは反対方向の駆動に伴い第一回転方向とは反対方向に回転することで、前記パーシャルカット部と前記フルカット部のうちで前記フルカット部を、前記第一刃先が前記固定部に向かう方向に移動させてもよい。印刷装置は、回転体の回転方向を切り替えるだけで、パーシャルカット部とフルカット部のいずれかを移動させることができる。よって、印刷装置は、パーシャルカットとフルカットとの切り替えを容易に実行できる。
【００１７】
前記印刷装置では、前記モータは、モータギアが固定された出力軸を有し、前記モータギアから伝達される駆動力を前記回転体に伝達する複数のギアであって、前記モータの前記出力軸よりも前記第二側にて前記深さ方向に沿って配列されたギア列を備え、前記複数のギアのうちで最も従動側のギアである特定ギアは、前記回転体と一体的に形成されてもよい。ギア列は、モータの出力軸の第二側に集約され、且つ、装着部の深さ方向に沿って配列される。従って、ギア列を配置するスペースは所定方向に小さくなる。さらに、特定ギアが回転体と一体的に形成されるので、ギア列を配置するスペースは更に小さくなる。よって、印刷装置は小型化できる。
【００１８】
前記印刷装置では、前記モータは、前記搬送経路に対して前記第二側に設けられ、前記フルカット部は、前記搬送経路に対して前記第二側に設けられ、前記モータの駆動力が伝わる第一伝達部を備えてもよい。第一伝達部は、搬送経路に対して第二側に設けられるので、第一刃先から離隔する。よって、印刷装置は、モータの駆動力で印刷媒体を効率良くフルカットできる。
【００１９】
前記印刷装置では、前記パーシャルカット部は、前記第二刃先が延びる方向における前記第二刃先の中心よりも一方側で回転可能に支持される支持部と、前記第二刃先の中心に対して前記支持部とは反対側に設けられ、前記モータの駆動力が伝わる第二伝達部とを備えてもよい。第二伝達部は、第二刃先の中心よりも支持部とは反対側に設けられるので、第二刃先の回転中心から離隔する。よって、印刷装置は、モータの駆動力で印刷媒体を効率良くパーシャルカットできる。
【００２０】
前記印刷装置は、前記搬送経路に対して前記第二側、且つ前記パーシャルカット機構に対して前記搬送方向の下流側に設けられた特定部材と、前記搬送経路に対して前記第一側に設けられ、前記深さ方向を軸方向として回転可能なローラであって、前記特定部材との間で前記印刷媒体を挟むニップ位置と、前記挟ニップ位置から前記第一側に離隔するリリース位置との間を移動可能な排出ローラと、前記排出ローラを回転させる排出モータとを備えてもよい。搬送経路に対して第一側となるスペースを排出ローラの可動領域として有効に活用できる。よって、印刷装置は小型化できる。
【００２１】
前記印刷装置では、前記通過部は、前記装着部のうちで、前記搬送方向の下流側の端部、且つ前記第一側の端部であってもよい。この場合、印刷装置は、排出口から排出される印刷媒体と、装着部との接触を抑制できる。
【図面の簡単な説明】
【００２２】
【図１】印刷装置１を左前上方から見た斜視図である。
【図２】図１および図１３のＩＩ−ＩＩ線矢視方向の断面図である。
【図３】レセプタテープ５およびダイカットテープ９の斜視図である。
【図４】初期状態にある切断ユニット１００を右前上方から見た斜視図である。
【図５】図４から第二フレーム１０９、モータギア１０５Ｂ、および連結ギア１２５、１２６を取り除いた斜視図である。
【図６】初期状態にある切断ユニット１００の正面図である。
【図７】切断ユニット１００が初期状態にあるときの第二リンク部材１２０の拡大正面図である。
【図８】フルカット刃１４０が離隔位置にあるときの切断ユニット１００を右後上方から見た斜視図である。
【図９】パーシャルカット動作の実行時の切断ユニット１００を右前上方から見た斜視図である。
【図１０】パーシャルカット動作の実行時の切断ユニット１００の正面図である。
【図１１】パーシャルカット動作の実行時の第二リンク部材１２０の拡大正面図である。
【図１２】フルカット位置にあるフルカット刃１４０を右後上方から見た斜視図である。
【図１３】排出ローラ２２０がニップ位置にあるときの排出ユニット２００を左前下方から見た斜視図である。
【図１４】排出ローラ２２０がリリース位置にあるときの排出ユニット２００を左後下方から見た斜視図である。
【図１５】ローラホルダ２５５を左前下方から見た斜視図である。
【図１６】排出ローラ２２０がニップ位置にあるときにおける図２の領域Ｗの拡大図である。
【図１７】排出ローラ２２０がリリース位置にあるときにおける図２の領域Ｗの拡大図である。
【図１８】印刷装置１の電気的構成を示すブロック図である。
【図１９】メイン処理のフローチャートである。
【図２０】図１９の続きを示すメイン処理のフローチャートである。
【図２１】図２０の続きを示すメイン処理のフローチャートである。
【図２２】第一頭出し処理のフローチャートである。
【図２３】第二頭出し処理のフローチャートである。
【図２４】回転量決定テーブル３０の概念図である。
【発明を実施するための形態】
【００２３】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。なお、参照する図面では、便宜上、各ギアの歯は図示されていない。
【００２４】
図１および図２を参照し、印刷装置１の概略構成を説明する。以下では、図１の左下側、右上側、右下側、左上側、上側、および下側を、それぞれ、印刷装置１の左側、右側、前側、後側、上側、および下側と定義する。印刷装置１は、各種（例えば、レセプタタイプ、サーマルタイプ、ラミネートタイプ等）のカセットを１台で使用できる汎用タイプである。図２は、レセプタタイプのカセット７を模式的に示す。以下、カセットに収容される長尺状の各種印刷媒体（例えば、レセプタテープ５、ダイカットテープ９、感熱テープ、ステンシルテープ、両面粘着テープ、透明フィルムテープ）を、総称して「テープ」という。印刷装置１は、ネットワーク、ケーブル（図示略）等を介して外部端末（図示略）に接続できる。外部端末は、パーソナルコンピュータ、スマートフォン等である。例えば印刷装置１は、外部端末から送信される印刷データに基づいて、キャラクタをテープに印刷する。キャラクタは、文字、数字、記号、図形等である。
【００２５】
図１に示すように、印刷装置１は、筐体２とカバー３とを備える。筐体２は、略直方体状である。カバー３は、筐体２の上面の後端部によって回動可能に支持され、筐体２の上面に対して開閉できる。筐体２の前面の左上角部には、入力部４が設けられる。入力部４は、各種情報を印刷装置１に入力するためのボタンである。筐体２の前面において入力部４の右側には、排出口１１が設けられる。排出口１１は、上下方向に延びる開口であり、筐体２の内部と外部とに連通する。
【００２６】
筐体２の上面には、装着部６が設けられる。装着部６は、筐体２の上面から下方に凹む凹部である。従って、装着部６の深さ方向は上下方向である。装着部６には、カセット７が装着可能である。装着部６は通過部６Ａ（図６参照）を含む。通過部６Ａは、前後方向と上方向に開口する開口部であり、且つテープが通過可能な開口部である。通過部６Ａは、装着部６の左端部且つ前端部に形成されており、装着部６の中心Ｃ（図２参照）よりも左側にある。中心Ｃの位置は、前後方向において最も長い装着部６の部位の中心となる前後位置、且つ、左右方向において最も長い装着部６の部位の中心となる左右位置である。
【００２７】
図２に示すように、装着部６には、サーマルヘッド６０、テープ駆動軸６１、リボン巻取軸６２、およびマーク検出センサ３１が設けられる。サーマルヘッド６０は、ヘッドホルダ６９の左面に設けられ、上下方向に並んだ複数の発熱体を含む。ヘッドホルダ６９は、装着部６の左部に設けられ、左右方向に直交して延びる板状である。テープ駆動軸６１は、ヘッドホルダ６９の前側で上下方向に延び、回転可能である。リボン巻取軸６２は、ヘッドホルダ６９の右側で上下方向に延び、回転可能である。マーク検出センサ３１は、透過型のフォトセンサであり、後述するダイカットテープ９に設けられたマーク９９（図３参照）を検出する。
【００２８】
装着部６の左側には、プラテンホルダ６３が設けられる。プラテンホルダ６３の後端部は、軸６４によって回転可能に支持される。軸６４は、上下方向に延びる。プラテンホルダ６３は、プラテンローラ６５および搬送ローラ６６を、それぞれ、平面視で時計回り方向および反時計回り方向に回転可能に支持する。プラテンローラ６５は、サーマルヘッド６０に左側から対向する。搬送ローラ６６は、プラテンローラ６５の前側に設けられ、テープ駆動軸６１に左側から対向する。プラテンホルダ６３の前端部が軸６４を中心に略左右方向に揺動することで、プラテンローラ６５および搬送ローラ６６は、それぞれ、サーマルヘッド６０およびテープ駆動軸６１に対して、近接する位置（図２参照）と離隔する位置（図示略）とに移動する。
【００２９】
テープ駆動軸６１、リボン巻取軸６２、プラテンローラ６５、および搬送ローラ６６は、ギア（図示略）を介して搬送モータ６８（図１８参照）と連結する。搬送モータ６８は、順送方向および逆送方向に回転駆動できる。順送方向および逆送方向は、互いに反対の回転方向である。
【００３０】
筐体２の内部において、排出口１１の後側近傍には、内部ユニット１０が設けられる。内部ユニット１０は、切断ユニット１００と排出ユニット２００とを備える。切断ユニット１００は、テープを切断する切断動作を実行する。切断ユニット１００による切断動作は、テープのパーシャルカットとテープのフルカットを含む。テープのパーシャルカットは、テープの一部を残して、テープを幅方向に亘り切断する動作である。テープのフルカットは、テープを幅方向と厚さ方向とに亘りテープを切断し、テープを完全に二つに切り離す動作である。排出ユニット２００は、切断ユニット１００によって切断されるテープを保持し、切断ユニット１００によって切断されたテープを排出口１１から印刷装置１の外部へ排出する。切断ユニット１００および排出ユニット２００の詳細は、後述する。
【００３１】
図２を参照し、カセット７を説明する。カセット７は、ケース７０、排出口７３（図１６参照）を備える。ケース７０は、箱状であり、テープ駆動ローラ７２、支持孔７５〜７８を有する。テープ駆動ローラ７２は、ケース７０の左前角部において上下方向に延びる円筒体であり、ケース７０によって回転可能に支持される。テープ駆動ローラ７２の左端部は、ケース７０から外部に露出する。
【００３２】
支持孔７５は、ケース７０を上下方向に貫通し、第一テープスプール４１を回転可能に支持する。第一テープスプール４１は、上下方向に延び、第一のテープが巻回される。支持孔７７は、ケース７０を上下方向に貫通し、リボンスプール４３を回転可能に支持する。リボンスプール４３は、上下方向に延び、印刷に使用される前のインクリボン８が巻回される。支持孔７８は、ケース７０を上下方向に貫通し、リボン巻取スプール４５を回転可能に支持する。リボン巻取スプール４５は、上下方向に延びる筒状体であり、印刷に使用された後のインクリボン８が巻き取られて巻回される。支持孔７６は、ケース７０を上下方向に貫通し、第二テープスプール（図示略）を回転可能に支持する。第二テープスプールは、上下方向に延び、第二のテープが巻回される。
【００３３】
排出口７３（図１６参照）は、ケース７０（図２参照）の左端部且つ前端部である。排出口７３は、前後方向に開口し、通過部６Ａの後方に配置される。排出口７３を通過するテープは、通過部６Ａに向けて排出される。
【００３４】
ケース７０には、ヘッド開口７１および一対の孔７９が設けられる。ヘッド開口７１は、ケース７０の左部を上下方向に貫通する。ヘッド開口７１の左前部では、テープが露出する。一対の孔７９は、ケース７０を上下方向に貫通し、第一テープスプール４１から引き出されるテープを間に挟んで互いに対向する。
【００３５】
カセット７は、ケース７０の内部に収容されるテープの種類、インクリボン８の有無等を適宜変更することによって、先述のサーマルタイプ、レセプタタイプ、ラミネートタイプ、チューブタイプ等に実装できる。
【００３６】
レセプタタイプのカセット７では、支持孔７５は、第一のテープとしてレセプタテープ５またはダイカットテープ９が巻回された第一テープスプール４１を支持する。レセプタタイプのカセット７では第二のテープが使用されないので、支持孔７６は第二テープスプールを支持しない。支持孔７７は、リボンスプール４３を支持する。
【００３７】
サーマルタイプのカセット（図示略）では、支持孔７５は、第一のテープとして感熱テープまたはステンシルテープが巻回された第一テープスプール４１を支持する。支持孔７６は、第二テープを支持しない。支持孔７７は、リボンスプール４３を支持しない。
【００３８】
ラミネートタイプのカセット（図示略）では、支持孔７５は、第一のテープとして透明フィルムテープが巻回された第一テープスプール４１を支持する。支持孔７６は第二のテープとして両面粘着テープが巻回された第二テープスプールを支持する。支持孔７７は、リボンスプール４３を支持する。
【００３９】
図３を参照し、テープの一例として、レセプタテープ５、ダイカットテープ９、感熱テープ（図示略）、透明フィルムテープ（図示略）、および両面粘着テープ（図示略）を説明する。図３（Ａ）に示すように、レセプタテープ５は、基材５１と剥離紙５２とを有する。基材５１には、粘着層５３が設けられる。粘着層５３は、粘着剤が塗布された層である（後述する粘着層９３も同様）。基材５１のうち粘着層５３が設けられた面とは反対側の面は、キャラクタが印刷される印刷面である。剥離紙５２は、粘着層５３を介して基材５１に剥離可能に貼り付けられる。
【００４０】
図３（Ｂ）に示すように、ダイカットテープ９は、複数の基材９１と剥離紙９２とを有する。複数の基材９１には、それぞれ、粘着層９３が設けられる。剥離紙９２は長尺状である。剥離紙９２には、複数の基材９１が、剥離紙９２の長手方向に一定間隔で並んで、粘着層９３を介して剥離可能に貼り付けられる。複数の基材９１のうち粘着層９３が設けられた面とは反対側の面は、キャラクタが印刷される印刷面である。剥離紙９２のうち、基材９１が設けられていない部分には、マーク９９が設けられる。マーク９９は、長手方向に一定間隔で並ぶ貫通孔である。レセプタテープ５およびダイカットテープ９は、インクリボン８のインクがサーマルヘッド６０によって基材５１、９１の印刷面に熱転写されることで、キャラクタが印刷されるテープである。
【００４１】
感熱テープ（図示略）は、サーマルヘッド６０によって熱が加えられることで、キャラクタが印刷されるテープである。ステンシルテープ（図示略）は、サーマルヘッド６０によって熱が加えられることで、キャラクタの形状を模した孔が形成されるテープである。本実施形態の「印刷」は、キャラクタの形状を模した孔をテープに形成する動作も含む。
【００４２】
透明フィルムテープは、インクリボン８のインクがサーマルヘッド６０によって印刷面に熱転写されることで、キャラクタが印刷されるテープである。印刷された透明フィルムテープの印刷面には、両面粘着テープが貼り合わされる。以下、印刷された透明フィルムテープに両面粘着テープが貼り合わされたテープを、「ラミネートテープ」ともいう。
【００４３】
本実施形態では、ダイカットテープ９は、レセプタテープ５および感熱テープよりも撓みやすい。レセプタテープ５および感熱テープは、ラミネートテープよりも撓みやすい。ラミネートテープは、ステンシルテープよりも撓みやすい。テープの撓みやすさは、テープの厚み、テープのヤング率等によって決定される。例えば、テープの厚みが厚いほど、またはテープのヤング率が大きいほど、テープは撓みにくい。レセプタテープ５、感熱テープ、ステンシルテープ、およびラミネートテープは、ダイカットテープ９に比べて損傷しやすい。テープの損傷しやすさは、テープの表面の材質（コーティングの有無を含む）、テープの表面の形状（例えば、凹凸の有無）等によって決定される。例えば、テープの表面の硬度が大きいほど、テープは損傷しにくい。なお、テープの種類はこれらに限定されず、チューブテープ等でもよい。上述した各テープの撓みやすさ、および損傷しやすさは、単なる一例である。
【００４４】
図１および図２を参照し、一例としてレセプタタイプのカセット７を使用して印刷装置１によって印刷が行われる手順を説明する。カバー３が開かれた状態では、プラテンローラ６５および搬送ローラ６６が、それぞれ、サーマルヘッド６０およびテープ駆動軸６１から左方に離隔する位置にある。この状態で、ユーザは、装着部６にカセット７を装着する。装着部６にカセット７が装着されると、リボン巻取スプール４５にリボン巻取軸６２が挿入される。テープ駆動ローラ７２にテープ駆動軸６１が挿入される。ヘッド開口７１にヘッドホルダ６９が挿入される。一対の孔７９からマーク検出センサ３１の発光部および受光部がケース７０内に進入する。マーク検出センサ３１の発光部および受光部は、第一テープスプール４１から引き出されたテープを間にして対向する。レセプタテープ５およびインクリボン８は、幅方向が上下方向を向く姿勢で配置される。
【００４５】
カバー３が閉じられると、プラテンローラ６５および搬送ローラ６６が、それぞれ、サーマルヘッド６０およびテープ駆動軸６１に左側から近接する位置に移動する。これにより、プラテンローラ６５はレセプタテープ５のうち基材５１の印刷面側にインクリボン８を重ね合わせてサーマルヘッド６０に押圧する。搬送ローラ６６は、レセプタテープ５をテープ駆動ローラ７２に押圧する。以上のように、装着部６にカセット７が装着され、且つカバー３が閉じられた状態を、「印刷準備状態」という。
【００４６】
以下、プラテンローラ６５がサーマルヘッド６０との間でテープを挟む搬送方向位置を、「印刷位置Ｐ１」という。搬送ローラ６６がテープ駆動ローラ７２との間でテープを挟む搬送方向位置を、「第一挟持位置Ｐ２」という。プラテンローラ６５がサーマルヘッド６０との間でテープを挟む荷重を、「印刷位置Ｐ１の挟持荷重」という。搬送ローラ６６がテープ駆動ローラ７２との間でテープを挟む荷重を、「第一挟持位置Ｐ２の挟持荷重」という。第一挟持位置Ｐ２は、印刷位置Ｐ１よりも搬送方向下流側にある。第一挟持位置Ｐ２の挟持荷重は、印刷位置Ｐ１の挟持荷重よりも小さい。
【００４７】
印刷装置１は、テープ駆動軸６１、プラテンローラ６５、および搬送ローラ６６を回転させることで、テープを搬送できる。本実施形態の「搬送」は、「順送」と「逆送」とを含む。順送は、テープを搬送方向下流側へ搬送することである。すなわち、順送は、テープを第一テープスプール４１から引き出すように搬送することである。逆送は、テープを搬送方向上流側へ搬送することである。排出口１１、７３の間において、搬送方向は前後方向であり、搬送方向下流側は前側であり、搬送方向上流側は後側である。
【００４８】
テープを順送する場合、印刷装置１は、搬送モータ６８（図１８参照）を順送方向に回転駆動することで、テープ駆動軸６１を平面視で反時計回り方向に回転させ、且つプラテンローラ６５および搬送ローラ６６を平面視で時計回り方向に回転させる。この場合、テープ駆動ローラ７２が平面視で反時計回り方向に回転する。これにより、テープが搬送ローラ６６とテープ駆動ローラ７２との間で挟まれて、順送される（すなわち、搬送方向下流側に搬送される）。プラテンローラ６５とサーマルヘッド６０との間でレセプタテープ５が挟まれて順送される。
【００４９】
テープを逆送する場合、印刷装置１は、搬送モータ６８を逆送方向に回転駆動することで、テープ駆動軸６１を平面視で時計回り方向に回転させ、且つプラテンローラ６５および搬送ローラ６６を平面視で反時計回り方向に回転させる。この場合、テープ駆動ローラ７２が平面視で時計回り方向に回転する。これにより、テープが搬送ローラ６６とテープ駆動ローラ７２との間で挟まれて、逆送される（すなわち、搬送方向上流側に搬送される）。プラテンローラ６５とサーマルヘッド６０との間でレセプタテープ５が挟まれて逆送される。以下、テープを順送する動作を、「順送動作」ともいい、テープを逆送する動作を、「逆送動作」ともいう。
【００５０】
以下の説明では、印刷装置１による搬送に伴って、カセット７の排出口７３と筐体２の排出口１１との間でテープが通過される経路を、「搬送経路１２」という（図１６参照）。搬送経路１２は、排出口７３から前側に向けて排出されるテープが搬送される経路であり、前後方向に延びる。図１６では、図面を見易くする都合により、搬送経路１２を、テープから左右方向にずらした位置に配置する。
【００５１】
印刷装置１は、印刷動作を実行する前に、頭出し動作を実行する。頭出し動作では、印刷装置１は、搬送モータ６８を制御することで、逆送動作および順送動作のうち少なくとも逆送動作を実行する。これにより、テープの頭出しが行われる。
【００５２】
頭出し動作の実行後、印刷装置１は、印刷動作を実行する。印刷動作では、印刷装置１は、テープを順送しながらテープに印刷を行う。詳細には、印刷装置１は、サーマルヘッド６０を発熱させることで、インクリボン８を加熱する。これにより、インクリボン８のインクがレセプタテープ５のうち基材５１の印刷面に熱転写されることで、印刷位置Ｐ１においてキャラクタが印刷される。印刷装置１は、搬送モータ６８を順送方向に駆動させることで、リボン巻取軸６２、テープ駆動軸６１、プラテンローラ６５、および搬送ローラ６６を回転させる。リボン巻取軸６２の回転によってリボン巻取スプール４５が回転することで、リボン巻取スプール４５にインクリボン８が巻き取られる。テープ駆動軸６１の回転によってテープ駆動ローラ７２が平面視で反時計回り方向に回転する。テープ駆動ローラ７２および搬送ローラ６６の回転によって第一挟持位置Ｐ２において搬送ローラ６６とテープ駆動ローラ７２との間でレセプタテープ５が挟まれて順送される。プラテンローラ６５の回転によってプラテンローラ６５とサーマルヘッド６０との間でレセプタテープ５が挟まれて順送される。
【００５３】
印刷されたレセプタテープ５は、カセット７の排出口７３から排出された後、通過部６Ａを通過する。レセプタテープ５は、通過部６Ａよりも搬送方向下流側に配置された切断ユニット１００に到達する。レセプタテープ５は、切断ユニット１００によって切断される。切断されたレセプタテープ５は、排出ユニット２００によって排出口１１から印刷装置１の外部へと排出される。
【００５４】
図４から図８を参照し、切断ユニット１００の詳細構造を説明する。図５、図６では、切断ユニット１００の構成要素のうち、第二フレーム１０９、およびモータギア１０５Ｂ、連結ギア１２５、１２６の図示を省略する（図９、図１０も同様）。切断ユニット１００は、排出口１１の後方、且つ通過部６Ａの前方で筐体２の内部に設けられる。
【００５５】
図４に示すように、切断ユニット１００は固定フレーム１０６を備える。固定フレーム１０６は筐体２（図１参照）の内部に固定される。固定フレーム１０６は、第一フレーム１１８と第二フレーム１０９とを備える。第二フレーム１０９は、背面視で矩形状であり、二点鎖線によって図示される。第一フレーム１１８は、第二フレーム１０９の前方に配置され、第一通過口１１８Ａを備える。第一通過口１１８Ａは、第一フレーム１１８を前後方向に貫通し、後述する第二通過口２０１の後方に並ぶ。テープは第一通過口１１８Ａ内を通過する。第一通過口１１８Ａの左側開口端には、案内部材１４７が設けられる。案内部材１４７には、右方に向けて凸状の複数のリブが、上下方向に並んで配置される。案内部材１４７は、順送されるテープを第二通過口２０１に向けて案内する。
【００５６】
第一フレーム１１８には、受台１７３が固定される。受台１７３は、板状である。受台１７３の下端１７３Ａは、第一通過口１１８Ａの下方に配置される。下端１７３Ａは、凸部１７８を含む。凸部１７８は、下端１７３Ａから前方に突出する。凸部１７８には、固定孔が形成される。固定孔は、正面視で円形状である。固定孔には、軸１７７が固定される。軸１７７は、前後方向に延びる。受台１７３は、延設部１７３Ｃおよび受板１７３Ｄを備える。延設部１７３Ｃは、受台１７３の下端１７３Ａと上端１７３Ｂとの間で延びる。延設部１７３Ｃは、第一通過口１１８Ａの左側において、二つの螺子１７６により、第一フレーム１１８に固定される。受板１７３Ｄは、延設部１７３Ｃの右端から前方に突出し、右側面視で上下方向に延びる矩形状である。受板１７３Ｄには、案内部材１４７よりも搬送方向上流側（すなわち後側）にあるテープが配置される。
【００５７】
第一通過口１１８Ａよりも右側では、切断モータ１０５が第二フレーム１０９の下端に固定される。切断モータ１０５の出力軸１０５Ａは、切断モータ１０５から上方に延びる。出力軸１０５Ａには、モータギア１０５Ｂが固定される。モータギア１０５Ｂは一例としてウォームである。
【００５８】
切断モータ１０５の右下側且つ後側には、回転体１５０が設けられる。回転体１５０は、軸１７７よりも右側に配置され、正面視で円形状である。回転体１５０は、軸１５９（図８参照）によって回転可能に支持される。軸１５９は、第一フレーム１１８を前後方向に貫通し、第一フレーム１１８に固定される。
【００５９】
出力軸１０５Ａの右側には、ギア列１２４が設けられる。ギア列１２４は、連結ギア１２５〜１２７、および特定ギア１２８を含む。連結ギア１２５〜１２７、特定ギア１２８は、上側から順に上下方向に並び、いずれも前後方向を軸方向として回転可能である。連結ギア１２５〜１２７は、二段歯車である。連結ギア１２５、１２６は、第二フレーム１０９によって回転可能に支持される。連結ギア１２５は、モータギア１０５Ｂと噛み合う。連結ギア１２７は第一フレーム１１８によって回転可能に支持される。特定ギア１２８は、ギア列１２４のなかで最も従動側のギアであり、回転体１５０の外周面と一体的に形成される。連結ギア１２５〜１２７、特定ギア１２８は、互いに噛み合う。従って、切断モータ１０５の駆動力は、モータギア１０５Ｂとギア列１２４を介して回転体１５０に伝達される。
【００６０】
図５および図６に示すように、回転体１５０には、溝カム１５１、１５２が設けられる。溝カム１５１、１５２は、前方に開口し、互いに連続して一体的に形成される。溝カム１５１は、その両端である始端１５１Ａから終端１５１Ｂまで、軸１５９に接近する方向に延びる。溝カム１５２は、始端１５１Ａから正面視で時計回り方向に、軸１５９を中心とした円弧状に延びる。以下、溝カム１５１、１５２を総称する場合、「溝カム１５３」という。
【００６１】
回転体１５０の左上方には、支軸１１９が設けられる。支軸１１９は、第一フレーム１１８から前方に突出し、第一リンク部材１１０を揺動可能に支持する。第一リンク部材１１０は、第一フレーム１１８と前後方向に隙間を空けて対向し、上下方向に延びる。第一リンク部材１１０のうち支軸１１９よりも下方の部位は、前方に延び、さらに下方に折れ曲がって延びる。第一リンク部材１１０のうち支軸１１９よりも上方の部位は、上下方向に延びる。第一リンク部材１１０の下端部１１６は、回転体１５０の前方に配置される。下端部１１６には、ピン１１１が設けられる。ピン１１１は、下端部１１６から後方に突出し、溝カム１５３に係合する。回転体１５０の回転に伴い、溝カム１５１がピン１１１に対して摺動することで、第一リンク部材１１０は支軸１１９を中心にして揺動できる。
【００６２】
第一リンク部材１１０の上端部１１７には、ピン１１２と凹部１３９とが設けられる。ピン１１２は、上端部１１７から後方に突出し、貫通孔１９７（図８参照）に挿入される。貫通孔１９７は、第一フレーム１１８を前後方向に貫通する。凹部１３９は、支軸１１９を中心に正面視で時計回り方向に凹む。
【００６３】
第一リンク部材１１０と第一フレーム１１８との間には、第二リンク部材１２０が設けられる。第二リンク部材１２０は、支軸１２９によって、揺動可能に支持される。支軸１２９は、上端１７３Ｂよりも右側において、第一フレーム１１８から前方に突出する。第二リンク部材１２０は、支軸１２９を中心とした扇形状に形成された板状であり、第一フレーム１１８に前方から対向して接触する。第二リンク部材１２０のうち支軸１２９から離隔する方向側の端部１２１は、上端部１１７に後方から対向する。
【００６４】
図７に示すように、端部１２１には、溝カム１２２が設けられる。溝カム１２２は、ピン１１２と係合し、カム１２２Ａ、１２２Ｂを備える。カム１２２Ａ、１２２Ｂは、互いに連続して一体的に形成された溝であり、支軸１２９に近接する側から順に配置される。カム１２２Ａは、支軸１２９から離隔する方向に延び、カム１２２Ｂは、支軸１２９からさらに離隔する方向にカム１２２Ａから延びる。カム１２２Ａの延設方向とカム１２２Ｂの延設方向とは、互いに交差する。第一リンク部材１１０の揺動に伴い、ピン１１２が溝カム１２２に対して摺動することで、第二リンク部材１２０は支軸１２９を中心にして揺動できる。端部１２１には、ピン１１３が設けられる。図７で示されるピン１１３は、端部１２１から前方に突出し、凹部１３９の内側に配置される。
【００６５】
図５および図６に示すように、第二リンク部材１２０の前側には、可動ホルダ１３０が設けられる。可動ホルダ１３０は、軸１７７によって揺動可能に支持される。可動ホルダ１３０の下端部１３７は、受台１７３の下端１７３Ａよりも前方において、軸１７７に揺動可能に連結する。
【００６６】
可動ホルダ１３０は、固着部１３４、パーシャルカット刃１０３、および突部１３１を備える。固着部１３４は、下端部１３７と上端部１３８との間で延び、切断モータ１０５（図４参照）に後側から対向する。パーシャルカット刃１０３は、前後方向に厚さを有する板状であり、固着部１３４の後面に固着される。パーシャルカット刃１０３の左端は、刃付けされた刃先１０３Ａである。刃先１０３Ａは、可動ホルダ１３０の揺動方向に沿って左側へ、延設部１７３Ｃから僅かに突出する。刃先１０３Ａは、可動ホルダ１３０の揺動方向に沿って、受台１７３の受板１７３Ｄと対向する。突部１３１は、可動ホルダ１３０の揺動方向に沿って左側へ上端部１３８から突出し、可動ホルダ１３０の揺動方向に沿って受板１７３Ｄと対向する。突部１３１の先端（すなわち左端）は、刃先１０３Ａよりも僅かに左側にある。
【００６７】
図７に示すように、上端部１３８には、溝カム１３３が設けられる。溝カム１３３は、ピン１１３と係合し、溝１３３Ａ、１３３Ｂを備える。溝１３３Ａ、１３３Ｂは、互いに連続して一体的に形成される。溝１３３Ａは、軸１７７（図６参照）から遠ざかる方向に延びる。溝１３３Ｂは、軸１７７からさらに遠ざかる方向に溝１３３Ａから延びる。溝１３３Ａ、１３３Ｂは、互いに異なる方向に延びる。
【００６８】
第二リンク部材１２０の揺動に伴い、ピン１１３が溝カム１３３に対して摺動することで、可動ホルダ１３０は、軸１７７を中心にして、パーシャルカット位置（図９参照）と退避位置（図５参照）とにわたって揺動できる。パーシャルカット位置は、突部１３１の先端が受板１７３Ｄと当接する可動ホルダ１３０の揺動位置である。退避位置は、パーシャルカット位置から右側に退避した可動ホルダ１３０の揺動位置である。可動ホルダ１３０が退避位置にある場合、刃先１０３Ａは、受板１７３Ｄに配置されたテープから右側に離隔する。刃先１０３Ａは、突部１３１の先端よりも右側にある。従って、可動ホルダ１３０がパーシャルカット位置にあるとき、刃先１０３Ａと受台１７３との間には隙間が形成される。可動ホルダ１３０の揺動方向におけるこの隙間の大きさは、テープの厚さよりも小さい。
【００６９】
図８に示すように、第一フレーム１１８の後側には、固定刃１７９およびフルカット刃１４０が設けられる。固定刃１７９は、第一通過口１１８Ａよりも右側で第一フレーム１１８に固定される。固定刃１７９は、背面視で上下方向に延びる矩形状の板状部材である。固定刃１７９の下端１７９Ａには、軸１９９が固定される。軸１９９は前後方向に延び、第一フレーム１１８から後方に突出する。固定刃１７９は、刃先１７９Ｃを備える。刃先１７９Ｃは、固定刃１７９の左端に、上下方向に沿って刃付けされる。テープは、固定刃１７９の下端１７９Ａと上端１７９Ｂとの間で刃先１７９Ｃに配置される。刃先１７９Ｃは、第一通過口１１８Ａよりも右側にある。すなわち、刃先１７９Ｃは、搬送経路１２よりも右側にある。
【００７０】
フルカット刃１４０は、第一フレーム１１８とフルカット刃１４０の間となる前後位置において、軸１９９によって揺動可能に支持され、正面視でＬ字状の板状部材である。フルカット刃１４０は、アーム１４１、１４２を備える。アーム１４１は、軸１９９から上側へ延びる。アーム１４２は、軸１９９から右側へ延びる。軸１９９を中心とした背面視で反時計回り方向側におけるアーム１４１の端には、アーム１４１の延設方向に沿って刃先１４１Ａが刃付けされる。刃先１４１Ａは、フルカット刃１４０の揺動方向に沿って、固定刃１７９の刃先１７９Ｃと対向する。
【００７１】
本実施形態では、軸１９９を中心とした周方向におけるアーム１４１の最大長さは、軸１７７を中心とした周方向における可動ホルダ１３０の最大長さよりも短い。本実施形態では、軸１７７を中心とした周方向における可動ホルダ１３０の最大長さは、固着部１３４の最大長さである。
【００７２】
アーム１４２の右部には、溝カム１４４が設けられる。溝カム１４４は、前後方向に開口し、ピン１１４と係合する。ピン１１４は、回転体１５０から後方に突出し、挿入孔１１５に挿入される。挿入孔１１５は、第一フレーム１１８を前後方向に貫通し、軸１５９を中心に円弧状に延びる。
【００７３】
溝カム１４４は、円弧カム１４５と延伸カム１４６を備える。円弧カム１４５と延伸カム１４６は、互いに連続して一体的に形成される溝である。円弧カム１４５は、その両端である始端１４５Ａから終端１４５Ｂまで、軸１５９を中心に背面視で反時計回り方向側へ円弧状に延びる。延伸カム１４６は、円弧カム１４５の始端１４５Ａから軸１９９に向けて直線状に延びる。
【００７４】
回転体１５０の回転に伴い、ピン１１４が延伸カム１４６に対して摺動することで、フルカット刃１４０は、軸１９９を中心にして、フルカット位置（図１２参照）と離隔位置（図８参照）とにわたって揺動できる。フルカット位置は、刃先１４１Ａが固定刃１７９の刃先１７９Ｃよりも右側に配置されるフルカット刃１４０の揺動位置である。離隔位置は、刃先１７９Ｃに配置されたテープから刃先１４１Ａが左側へ離隔するフルカット刃１４０の揺動位置である。フルカット刃１４０の揺動方向は、可動ホルダ１３０の揺動方向と平行である。
【００７５】
図６、および図９から図１１を参照し、切断ユニット１００によるパーシャルカット動作を説明する。パーシャルカット動作は、テープをパーシャルカットする切断動作である。パーシャルカット動作の開始前、テープは、印刷装置１の複数のローラによって第一通過口１１８Ａを通過する位置まで搬送されており、受板１７３Ｄに配置されている。パーシャルカット動作の開始前、切断ユニット１００は初期状態にある（図６、図８参照）。切断ユニット１００が初期状態にある場合、ピン１１１は始端１５１Ａと接触している。ピン１１２はカム１２２Ａの上端と接触している。ピン１１３は溝１３３Ａの下部と接触している。可動ホルダ１３０は退避位置に配置されている。ピン１１４は始端１４５Ａと接触している。フルカット刃１４０は離隔位置に配置されている。
【００７６】
切断モータ１０５（図４参照）が駆動を開始することで、モータギア１０５Ｂは出力軸１０５Ａと共に回転する。ギア列１２４が、切断モータ１０５の駆動力を回転体１５０に伝達することで、回転体１５０は正面視で時計回り方向に回転する（矢印Ｈ０）。回転体１５０の溝カム１５１は、ピン１１１を右側に押圧しながら回転する（図６、図１０参照）。これにより、第一リンク部材１１０は正面視で反時計回り方向に揺動する（矢印Ｈ１）。第一リンク部材１１０の揺動により、ピン１１２は、溝カム１２２のカム１２２Ａを左側に押圧しながら揺動する。これにより、第二リンク部材１２０は、第一フレーム１１８に対して摺動しながら、正面視で時計回り方向に揺動する（矢印Ｈ２）。このとき、ピン１１２は、凹部１３９よりも上方に、第二リンク部材１２０に対して相対的に揺動する。第二リンク部材１２０の揺動により、ピン１１３は溝カム１３３の溝１３３Ａを左側へ押圧する。これにより、可動ホルダ１３０は、退避位置からパーシャルカット位置に向けて揺動する（矢印Ｈ３）。このとき、ピン１１３は、溝カム１３３の延設方向の一方側（図７、図１１の矢印Ｖ１方向側）から、他方側（矢印Ｖ２方向側）に向けて摺動する。
【００７７】
可動ホルダ１３０がパーシャルカット位置に向けて揺動する間、ピン１１４（図８参照）は、円弧カム１４５の始端１４５Ａから終端１４５Ｂに向けて摺動するので、フルカット刃１４０を押圧しない。従って、フルカット刃１４０は離隔位置に停止した状態を維持する。
【００７８】
図９から図１１に示すように、回転体１５０の回転に伴い、ピン１１１が終端１５１Ｂに向けて摺動する間に、ピン１１２は、カム１２２Ａに代えてカム１２２Ｂに対して摺動し、ピン１１３は、溝１３３Ａに代えて溝１３３Ｂに対して摺動する。可動ホルダ１３０が継続して揺動することで、刃先１０３Ａは、下側から徐々にテープに切れ込みを入れ始める。
【００７９】
刃先１０３Ａがテープに切れ込みを入れ始めるとき、摺動するピン１１２は、支軸１２９から離隔する方向に揺動しながら、カム１２２Ｂに対して摺動する。テープの上端まで切れ込みが入った後、突部１３１が受板１７３Ｄと当接したとき、可動ホルダ１３０はパーシャルカット位置に到達する。テープのうち刃先１０３Ａと受台１７３との間に形成された隙間に配置された部分（すなわち、テープの幅方向の一部）は切断されない。これにより、パーシャルカット刃１０３は刃先１０３Ａでテープを幅方向にわたってパーシャルカットする。切断モータ１０５は駆動を終了する。以下、パーシャルカット刃１０３がテープを幅方向にわたってパーシャルカットする搬送方向位置を、「第二切断位置Ｐ４」という（図２参照）。第二切断位置Ｐ４は、後述する第一切断位置Ｐ３よりも搬送方向下流側にある。
【００８０】
切断モータ１０５は、パーシャルカット動作の開始時とは反対方向に駆動する。回転体１５０、第一リンク部材１１０、第二リンク部材１２０、および可動ホルダ１３０は、パーシャルカット動作の開始時とは反対方向に動作する。ピン１１３は、上端部１１７の凹部１３９の内側まで戻る。切断ユニット１００は初期状態に戻る。切断モータ１０５が駆動を終了することで、パーシャルカット動作は完了する。
【００８１】
図６、図８、および図１２を参照し、切断ユニット１００によるフルカット動作を説明する。フルカット動作は、テープをフルカットする動作である。フルカット動作の開始前、切断ユニット１００は初期状態にある。
【００８２】
切断モータ１０５は、パーシャルカット動作の開始時とは反対方向への回転駆動を開始する。これにより、回転体１５０は正面視で反時計回りに回転する（矢印Ｆ０）。このとき、溝カム１５３の溝カム１５２（図６参照）がピン１１１と摺動するので、溝カム１５３がピン１１１を押圧しない。従って、可動ホルダ１３０は退避位置に停止した状態を維持する。
【００８３】
回転体１５０の回転に伴い、ピン１１４は、延伸カム１４６に対して、下側に押圧しながら摺動する。これにより、可動ホルダ１３０は、フルカット位置に向けた揺動を開始する（矢印Ｆ１）。ピン１１４が、延伸カム１４６に対して摺動するに従い、フルカット刃１４０の刃先１４１Ａは、下側から徐々に、固定刃１７９の刃先１７９Ｃとの間でテープを挟み込む。よって、テープは、下側から徐々に二つに切り離される。切れ込みが上下方向にわたってテープに入った後、フルカット刃１４０はフルカット位置に到達する。フルカット刃１４０は、刃先１４１Ａ、１７９Ｃでテープをフルカットする。切断モータ１０５は駆動を停止する。以下、フルカット刃１４０がテープをフルカットする搬送方向位置を、「第一切断位置Ｐ３」という。第一切断位置Ｐ３は、第一挟持位置Ｐ２よりも搬送方向下流側にある。
【００８４】
切断モータ１０５は、フルカット動作の開始時とは反対方向に駆動する。回転体１５０とフルカット刃１４０は、フルカット動作の開始時とは反対方向に動作し、切断ユニット１００は初期状態に戻る。切断モータ１０５が駆動を終了することで、フルカット動作は完了する。
【００８５】
以下の説明では、ギア列１２４、回転体１５０、支軸１１９、第一リンク部材１１０、支軸１２９、第二リンク部材１２０、および、ピン１１３、１１４を総称する場合、「移動機構１６０」（図４参照）という。また、受台１７３、軸１７７、可動ホルダ１３０を総称する場合、「パーシャルカット機構１０１」（図４参照）という。さらに、軸１９９、固定刃１７９、およびフルカット刃１４０を総称する場合、「フルカット機構１８０」（図８参照）という。パーシャルカット機構１０１とフルカット機構１８０は、搬送方向に沿って下流側から順に配置される。パーシャルカット機構１０１とフルカット機構１８０は、移動機構１６０を介して切断モータ１０５と連結する。
【００８６】
図１３から図１７を参照し、排出ユニット２００の詳細構造を説明する。図１４は、排出ユニット２００の構成要素のうち、第三フレーム２１３、案内フレーム２１４、および位置検出センサ２９５の図示を省略する。排出ユニット２００は、排出口１１の後方、且つ切断ユニット１００よりも搬送方向下流側（すなわち、前側）で筐体２の内部に設けられる（図２参照）。
【００８７】
図１３および図１４に示すように、排出ユニット２００は、固定フレーム２１０、排出ローラ２２０、対向ローラ２３０、排出モータ２９９、第一連結機構２８０、移動機構２５０、第二連結機構２４０、および位置検出センサ２９５を備える。固定フレーム２１０は、排出口１１の後側近傍で筐体２の内部に固定され、第一フレーム２１１と第二フレーム２１２と第三フレーム２１３とを備える。
【００８８】
第一フレーム２１１は、排出ユニット２００の下部に設けられ、上下方向に直交して延びる。第二フレーム２１２および第三フレーム２１３は、それぞれ、第一フレーム２１１から上方に、左右方向に直交して延びる。第三フレーム２１３は、第二フレーム２１２に対して左側から所定の隙間を開けて対向する。第二フレーム２１２と第三フレーム２１３との間の隙間は、第二通過口２０１である。第二通過口２０１は、第一通過口１１８Ａの前側に並び、且つ排出口１１の後側に並ぶ（図１６、図１７参照）。テープは、第一通過口１１８Ａ、第二通過口２０１、排出口１１の順に搬送方向上流側（すなわち、後側）から下流側（すなわち、前側）に向けて順送される。
【００８９】
例えばテープがレセプタテープ５の場合、レセプタテープ５は、基材５１側が右側を向き、剥離紙５２側が左側を向いた状態で、第一通過口１１８Ａ、第二通過口２０１、排出口１１を通過する。テープがダイカットテープ９の場合、ダイカットテープ９は、基材９１側が右側を向き、剥離紙９２側が左側を向いた状態で、第一通過口１１８Ａ、第二通過口２０１、排出口１１を通過する。
【００９０】
排出ローラ２２０は、搬送ローラ６６およびテープ駆動軸６１に対して搬送方向下流側（前側）において、第二通過口２０１の左側に設けられる（図１６、図１７参照）。すなわち、排出ローラ２２０は、レセプタテープ５のうち剥離紙５２側に配置される。排出ローラ２２０は、上下方向に延びる円筒状の弾性体であり、孔２１３Ａ（図１６、図１７参照）内に配置される。孔２１３Ａは、第三フレーム２１３の後端部を左右方向に貫通し、側面視で上下方向に長い矩形状に延びる。
【００９１】
対向ローラ２３０は、搬送ローラ６６およびテープ駆動軸６１に対して搬送方向下流側（前側）において、第二通過口２０１の右側に設けられる（図１６、図１７参照）。すなわち、対向ローラ２３０は、レセプタテープ５のうち基材５１側に配置される。対向ローラ２３０は、第二通過口２０１を間にして排出ローラ２２０に右側から対向する。対向ローラ２３０は、上下方向に延びる複数の円筒状の弾性体であり、孔２１２Ａ内に配置される。複数の円筒状の弾性体は、上下方向に一定間隔を空けて並ぶ。孔２１２Ａは、第二フレーム２１２の後端部を左右方向に貫通し、側面視で上下方向に長い矩形状に延びる。対向ローラ２３０の左端部は、第二フレーム２１２の左面よりも左側に配置される。対向ローラ２３０の中心孔には、回転軸２３０Ａが回転可能に挿入される。回転軸２３０Ａは、上下方向に延びる円柱体である。回転軸２３０Ａの両端部は、孔２１２Ａの上側および下側の内壁に固定される。
【００９２】
排出モータ２９９は、第一フレーム２１１の左端部に固定され、ＤＣモータである。排出モータ２９９の出力軸２９９Ａは、排出モータ２９９から下方に延びる。排出モータ２９９は、出力軸２９９Ａを底面視で反時計回り方向（矢印Ｒ１）、および時計回り方向（矢印Ｒ２）に回転駆動できる。以下、排出モータ２９９が出力軸２９９Ａを底面視で反時計回り方向に回転駆動することを、「正転駆動」といい、排出モータ２９９が出力軸２９９Ａを底面視で時計回り方向に回転駆動することを、「逆転駆動」という。
【００９３】
第一連結機構２８０は、排出ユニット２００の下部に設けられ、排出モータ２９９と排出ローラ２２０を駆動連結する。第一連結機構２８０は、連結ギア２８１〜２８４と移動ギア２８５と回転軸２８５Ａとを備える。連結ギア２８１〜２８４および移動ギア２８５の回転軸線は、いずれも上下方向に延びる。連結ギア２８１は、出力軸２９９Ａの下端部に固定され、平歯車である。
【００９４】
連結ギア２８２は、連結ギア２８１の前右側に設けられ、大径ギアおよび小径ギアからなる二段歯車である。連結ギア２８２の大径ギアの後左端部は、連結ギア２８１の前右端部に噛み合う。連結ギア２８２の中心孔には、回転軸２８２Ａが回転可能に挿入される。回転軸２８２Ａは、第一フレーム２１１に固定され、第一フレーム２１１から下方に延びる円柱体である。連結ギア２８３は、連結ギア２８２の前右側に設けられ、大径ギアおよび小径ギアからなる二段歯車である。連結ギア２８３の大径ギアの後左端部は、連結ギア２８２の小径ギアの前右端部に噛み合う。連結ギア２８３の中心孔には、回転軸２８３Ａの下端部が挿入固定される。回転軸２８３Ａは、上下方向に延び、第一フレーム２１１を貫通する。回転軸２８３Ａの上端部は、第一フレーム２１１の上面よりも上側まで延びる。回転軸２８３Ａは、第一フレーム２１１によって回転可能に支持される。回転軸２８３Ａのうち第一フレーム２１１よりも上側の部位は、円柱状である。回転軸２８３Ａのうち第一フレーム２１１よりも下側の部位は、Ｄカット形状である。
【００９５】
連結ギア２８４は、連結ギア２８３の右側に設けられ、大径ギアおよび小径ギアからなる二段歯車である。連結ギア２８４の大径ギアの左端部は、連結ギア２８３の小径ギアの右端部に噛み合う。連結ギア２８４の中心孔には、回転軸２８４Ａが回転可能に挿入される。回転軸２８４Ａは、第一フレーム２１１に固定され、第一フレーム２１１から下方に延びる円柱体である。移動ギア２８５は、連結ギア２８４の後側に設けられ、平歯車である。移動ギア２８５の前端部は、連結ギア２８４の小径ギアの後端部に噛み合う。回転軸２８５Ａは、回転軸２３０Ａと平行に延びる。回転軸２８５Ａの下端部は、Ｄカット形状である。回転軸２８５Ａのうち下端部以外の部位は、円柱状である。回転軸２８５Ａの下端部は、第一フレーム２１１の下側まで延び、移動ギア２８５の中心孔に挿入固定される。回転軸２８５Ａの上端部は、孔２１３Ａの上端まで延び、排出ローラ２２０の中心孔に挿入固定される。
【００９６】
第一フレーム２１１には、案内孔２１１Ａが設けられる。案内孔２１１Ａは、第一フレーム２１１のうち連結ギア２８４の後側を上下方向に貫通し、平面視で連結ギア２８４の歯が設けられた外周面２８４Ｂに沿った円弧状（図１７参照）に延びる。なお、図１７は、案内孔２１１Ａのうち排出ローラ２２０等で隠れている部分を破線で示す。案内孔２１１Ａには、回転軸２８５Ａのうち移動ギア２８５よりも上側の部位が挿入される。回転軸２８５Ａは、案内孔２１１Ａ内を案内孔２１１Ａに沿って移動可能である。
【００９７】
移動機構２５０は、排出ローラ２２０を、対向ローラ２３０に対して接近する方向または離隔する方向に移動させる。本実施形態では、移動機構２５０は、排出ローラ２２０を、対向ローラ２３０に左側から近接する位置（以下、「ニップ位置」という。図１３、図１６参照）と対向ローラ２３０から左側に離隔する位置（以下、「リリース位置」という。図１４、図１７参照）とに移動させる。
【００９８】
移動機構２５０は、回転体２５１、偏心部材２５２、およびローラホルダ２５５を備える。回転体２５１は、第一フレーム２１１に対して連結ギア２８３とは反対側に設けられ、円筒体である。回転体２５１の中心孔には、回転軸２８３Ａの上端部が回転可能に挿入される。偏心部材２５２は、回転体２５１のうち、回転軸２８３Ａに対して偏心した位置から上方に延びる円柱体である。従って、偏心部材２５２は、回転体２５１の回転に伴って平面視で回転軸２８３Ａを中心として回転する。
【００９９】
偏心部材２５２の下端部には、拡径部２５３が設けられる。拡径部２５３は、偏心部材２５２と回転体２５１の上面との固定部である。拡径部２５３は、偏心部材２５２よりも拡径し、平面視で半円状である。拡径部２５３には、凹部２５３Ａ（図１３参照）が設けられる。凹部２５３Ａは、拡径部２５３の円弧部から回転軸２８３Ａ（すなわち、偏心部材２５２の回転中心）に向かって凹む。凹部２５３Ａには、付勢部材２９７が係合できる。付勢部材２９７は、固定部２１３Ｂに固定され、トーションばねである。固定部２３１Ｂは、第三フレーム２１３の上面のうち、回転体２５１の上前側近傍に設けられる。付勢部材２９７の両端は、後方に延びる。拡径部２５３が回転軸２８３Ａに対して右側に配置されると、凹部２５３Ａが右方に開口するので、付勢部材２９７の端部が凹部２５３Ａに右側から係合する（図１３参照）。拡径部２５３が回転軸２８３Ａに対して左側に配置されると、凹部２５３Ａが左方に開口するので、付勢部材２９７の端部は凹部２５３Ａから離隔する（図示略）。
【０１００】
図１５に示すように、ローラホルダ２５５は、第一部材２６０と第二部材２７０と付勢部材２５６（図１４参照）とを備える。第一部材２６０は、正面視で右方に開口するＵ字状である。第一部材２６０の上側の壁部２６０Ａおよび下側の壁部２６０Ｂには、それぞれ、係止孔２６２が設けられる。なお、壁部２６０Ａ側の係止孔２６２の図示は省略する。係止孔２６２は、壁部２６０Ａ、２６０Ｂの左端部を上下方向に貫通し、平面視で左右方向に長い矩形状である。壁部２６０Ｂには、凹部２６３が設けられる。凹部２６３は、壁部２６０Ｂの右端部から左方に凹む。
【０１０１】
第一部材２６０の左側の壁部２６０Ｃには、突出部２６５と検出片２６９とが設けられる。突出部２６５は、壁部２６０Ｃの前面の右端部から前方に突出する。突出部２６５には、第一支持孔２６６が設けられる。第一支持孔２６６は、突出部２６５を上下方向に貫通し、前後方向に長い長孔である。第一支持孔２６６には、偏心部材２５２（図１３参照）が挿入される。第一支持孔２６６は、偏心部材２５２を前後方向に移動可能に支持する。検出片２６９は、壁部２６０Ｃの左面の上端部から左方に延び、さらに上方に延びる。
【０１０２】
第二部材２７０は、正面視で右方に開口するＵ字状であり、第一部材２６０よりも小さい。第二部材２７０は、第一部材２６０の凹部の内側に配置される。第二部材２７０の凹部内、すなわち、第二部材２７０の上側の壁部２７０Ａおよび下側の壁部２７０Ｂの間には、排出ローラ２２０（図１４参照）が配置される。第二部材２７０の右端部は、ローラホルダ２５５の右端部である。排出ローラ２２０の右端部は、ローラホルダ２５５の右端部よりも右側に配置される。壁部２７０Ａ、２７０Ｂには、それぞれ、第二支持孔２７１が設けられる。第二支持孔２７１は、それぞれ、壁部２７０Ａ、２７０Ｂの右端部を上下方向に貫通し、前後方向に長い長孔である。各第二支持孔２７１には、回転軸２８５Ａが挿入される。第二支持孔２７１は、回転軸２８５Ａを回転可能、且つ、前後方向に移動可能に支持する。
【０１０３】
壁部２７０Ａ、２７０Ｂには、それぞれ、係止片２７４が設けられる。なお、壁部２７０Ａ側の係止片２７４の図示は省略する。係止片２７４は、壁部２７０Ａ、２７０Ｂの各左端部から左方に突出し、互いに反対側を向く鉤状である。各係止片２７４の鉤状部は、各係止孔２６２に左右方向に移動可能に係合する。これにより、第二部材２７０は、第一部材２６０によって左右方向（すなわち、対向ローラ２３０に接近または離隔する方向）に移動可能に支持される。
【０１０４】
図１４に示すように、付勢部材２５６は、壁部２６０Ｃの右面と第二部材２７０の左側の壁部２７０Ｃの左面との間に設けられる。付勢部材２５６は、圧縮コイルばねであり、第一部材２６０に対して第二部材２７０を対向ローラ２３０に向けて右方に付勢する。従って、第二部材２７０に左方への力が働かない場合、第二部材２７０は、付勢部材２５６の付勢力により、各係止孔２６２の右端部に各係止片２７４の鉤状部が接触する位置に維持される。
【０１０５】
図１３、図１６、および図１７に示すように、ローラホルダ２５５は、第三フレーム２１３の左面の後部において、案内フレーム２１４の内側に設けられる。案内フレーム２１４は、第三フレーム２１３から左方に延び、左側面視でローラホルダ２５５の形状に沿った略矩形状である。案内フレーム２１４には開口部２１４Ａ、２１４Ｂが設けられる。開口部２１４Ａは、案内フレーム２１４の前下角部において、前方に開口する。突出部２６５は、開口部２１４Ａから前側に突出する。開口部２１４Ｂは、案内フレーム２１４の左端において左方に開口する。検出片２６９は、開口部２１４Ｂから左方に突出する。案内フレーム２１４は、ローラホルダ２５５を左右方向に直動するように案内する。
【０１０６】
図１３から図１４に示すように、第二連結機構２４０は、排出ユニット２００の下部に設けられ、排出モータ２９９と移動機構２５０を駆動連結する。第二連結機構２４０は、複数の連結ギア２８１〜２８３と回転軸２８３Ａとワンウェイクラッチ２９０とを備える。すなわち、複数の連結ギア２８１〜２８３は、排出モータ２９９と排出ローラ２２０を駆動連結し、且つ排出モータ２９９と移動機構２５０を駆動連結する。
【０１０７】
ワンウェイクラッチ２９０は、回転体２５１の内壁と回転軸２８３Ａの上端部との間に設けられる。図１３は、回転軸２８３Ａのうち連結ギア２８３、第一フレーム２１１、および回転体２５１の内側に配置される部位と、ワンウェイクラッチ２９０とを破線で示す。
【０１０８】
ワンウェイクラッチ２９０は、排出モータ２９９の逆転駆動時に、排出モータ２９９と回転体２５１を駆動連結し、排出モータ２９９の正転駆動時に、排出モータ２９９と回転体２５１との駆動連結を解除する。本実施形態では、排出モータ２９９が逆転駆動すると（矢印Ｒ２）、連結ギア２８１〜２８３を介して、回転軸２８３Ａが底面視で時計回り方向に回転する。ワンウェイクラッチ２９０は、回転軸２８３Ａが底面視で時計回り方向に回転した場合に、回転体２５１を回転軸２８３Ａと共に回転させる。排出モータ２９９が正転駆動すると（矢印Ｒ１）、連結ギア２８１〜２８３を介して、回転軸２８３Ａが底面視で反時計回り方向に回転する。ワンウェイクラッチ２９０は、回転軸２８３Ａが底面視で反時計回り方向に回転した場合に、回転軸２８３Ａに対して回転体２５１を空転させる。
【０１０９】
図１３に示すように、位置検出センサ２９５は、案内フレーム２１４の上側において、第三フレーム２１３の左面に固定される。位置検出センサ２９５は、スイッチセンサであり、可動片２９５Ａを有する。可動片２９５Ａは、検出片２６９の上端部の右側に設けられる。可動片２９５Ａは、常時左方に付勢され、且つ所定の係止位置で係止される。可動片２９５Ａが右方に向かって所定の可動位置まで揺動すると、位置検出センサ２９５は検出信号を出力する。位置検出センサ２９５は、排出ローラ２２０がニップ位置にあるか否かを検出する。
【０１１０】
図１３から図１４を参照し、排出モータ２９９が正転駆動した場合の排出ユニット２００の各部材の動作を説明する。排出モータ２９９が正転駆動（矢印Ｒ１）したときの駆動力（以下、「排出モータ２９９の正転駆動力」という。）は、第一連結機構２８０によって、出力軸２９９Ａから連結ギア２８１、２８２、２８３、２８４、移動ギア２８５、回転軸２８５Ａの順に、排出ローラ２２０まで伝達する。これにより、排出モータ２９９の正転駆動時には、排出ローラ２２０が底面視で反時計回り方向（以下、「排出方向」という。矢印Ｒ３）に回転する。排出方向に回転している排出ローラ２２０にテープが接触すると、テープは順送される。
【０１１１】
さらに、排出モータ２９９の正転駆動力は、第二連結機構２４０によって、出力軸２９９Ａから連結ギア２８１、２８２、２８３、回転軸２８３Ａの順に伝達する。この場合、排出モータ２９９と回転体２５１の駆動連結をワンウェイクラッチ２９０が解除するので、排出モータ２９９の正転駆動力は、回転軸２８３Ａから回転体２５１へは伝達しない。よって、排出モータ２９９が正転駆動しても、回転体２５１は回転しない。従って、印刷装置１は、排出モータ２９９を正転駆動することで、排出ローラ２２０が配置されている位置を維持した状態で、排出ローラ２２０を排出方向に回転させることができる。すなわち、印刷装置１は、排出モータ２９９を正転駆動することで、排出ローラ２２０をニップ位置（図１３、図１６参照）とリリース位置（図１４、図１７参照）との間で移動させることなく、排出ローラ２２０を排出方向に回転させることができる。
【０１１２】
図１３から図１４、図１６、および図１７を参照し、排出モータ２９９が逆転駆動した場合の排出ユニット２００の各部材の動作を説明する。図１３から図１４に示すように、排出モータ２９９が逆転駆動（矢印Ｒ２）したときの駆動力（以下、「排出モータ２９９の逆転駆動力」という。）は、第一連結機構２８０によって、出力軸２９９Ａから連結ギア２８１、２８２、２８３、２８４、移動ギア２８５、回転軸２８５Ａの順に、排出ローラ２２０まで伝達する。これにより、排出モータ２９９の逆転駆動時には、排出ローラ２２０が底面視で時計回り方向、すなわち排出方向とは反対方向（以下、「戻り方向」という。矢印Ｒ４）に回転する。
【０１１３】
さらに、排出モータ２９９の逆転駆動力は、第二連結機構２４０によって、出力軸２９９Ａから連結ギア２８１、２８２、２８３、回転軸２８３Ａの順に伝達する。この場合、排出モータ２９９と回転体２５１とをワンウェイクラッチ２９０が駆動連結するので、排出モータ２９９の逆転駆動力は、回転軸２８３Ａから回転体２５１へ伝達する。これにより、排出モータ２９９が逆転駆動すると、回転体２５１が回転軸２８３Ａを中心に底面視で時計回り方向に回転する。この場合、偏心部材２５２が回転軸２８３Ａを中心に底面視で時計回り方向に回転する。
【０１１４】
この場合、図１６および図１７に示すように、偏心部材２５２は第一支持孔２６６内を前後方向に移動しながら突出部２６５を左方または右方に押圧する。これにより、ローラホルダ２５５が案内フレーム２１４内を、案内フレーム２１４に沿って左方または右方に移動する。ローラホルダ２５５の左方または右方への移動に伴って、第二支持孔２７１（図１５参照）の内壁または凹部２６３（図１５参照）が回転軸２８５Ａを左方または右方に押圧する。これにより、回転軸２８５Ａが左方または右方に移動することで、排出ローラ２２０がニップ位置とリリース位置との間を移動する。従って、印刷装置１は、排出モータ２９９を逆転駆動することで、移動機構２５０によって排出ローラ２２０をニップ位置（図１６参照）とリリース位置（図１７参照）とに移動させることができる。
【０１１５】
排出ローラ２２０がニップ位置とリリース位置との間を移動する場合、回転軸２８５Ａは、第二支持孔２７１（図１５参照）内を前後方向に移動しながら案内孔２１１Ａに沿って移動する。すなわち、回転軸２８５Ａは、連結ギア２８４の外周面２８４Ｂに沿って移動する。よって、リリース位置からニップ位置に排出ローラ２２０が移動する場合、排出ローラ２２０は、対向ローラ２３０に対して、若干左斜め前側から接近する（図１７参照）。移動ギア２８５は、回転軸２８５Ａと一体的に、連結ギア２８４の外周面２８４Ｂに沿って移動する。従って、移動ギア２８５は、連結ギア２８４に噛み合った状態で移動する。このように、第一連結機構２８０によって排出モータ２９９と排出ローラ２２０とが駆動連結された状態が維持されたまま、排出ローラ２２０がニップ位置とリリース位置との間を移動する。すなわち、ニップ位置およびリリース位置のいずれに排出ローラ２２０がある場合でも、排出モータ２９９と排出ローラ２２０とは第一連結機構２８０により駆動連結される。
【０１１６】
ニップ位置に排出ローラ２２０がある場合、排出ローラ２２０は、対向ローラ２３０との間でテープを挟む。テープがない場合には、排出ローラ２２０は、対向ローラ２３０と接触する。なお、排出ローラ２２０は、テープの厚みより小さい距離を開けて対向ローラ２３０と対向してもよい。リリース位置に排出ローラ２２０がある場合、排出ローラ２２０は、テープから左方に離隔する。以下、排出ローラ２２０が対向ローラ２３０との間でテープを挟む搬送方向位置を、「第二挟持位置Ｐ５」という。排出ローラ２２０と対向ローラ２３０との間でテープを挟む荷重を、「第二挟持位置Ｐ５の挟持荷重」という。第二挟持位置Ｐ５は、第二切断位置Ｐ４よりも搬送方向下流側にある。第二挟持位置Ｐ５の挟持荷重は、第一挟持位置Ｐ２の挟持荷重よりも小さい。
【０１１７】
より詳細には、図１７に示すように、回転軸２８３Ａの左側に偏心部材２５２がある場合、偏心部材２５２は、偏心部材２５２の左右方向の移動範囲の左端にある。この場合、ローラホルダ２５５は、ローラホルダ２５５の左右方向の移動範囲の左端にあり、排出ローラ２２０は、リリース位置にある。この状態で、偏心部材２５２が平面視で回転軸２８３Ａを中心として反時計回り方向に回転すると、偏心部材２５２が第一支持孔２６６内を後方に移動しながら突出部２６５を右方に押圧する。この場合、排出ローラ２２０がニップ位置に配置されるまで、すなわち、排出ローラ２２０が対向ローラ２３０との間でテープを挟む位置に配置されるまでは、第一部材２６０、第二部材２７０、および排出ローラ２２０は、一体的に右方に移動する。
【０１１８】
図１６に示すように、本実施形態では、偏心部材２５２が偏心部材２５２の左右方向の移動範囲の右端に配置される前に、排出ローラ２２０が対向ローラ２３０との間でテープを挟む位置（すなわち、ニップ位置）に配置される。排出ローラ２２０がニップ位置に配置された後、偏心部材２５２が偏心部材２５２の左右方向の移動範囲の右端までさらに移動すると、第一部材２６０が右方に移動する。この場合、第二部材２７０および排出ローラ２２０は、対向ローラ２３０によって、右方への移動が規制されている。すなわち、第一部材２６０が、付勢部材２５６の付勢力に抗って第二部材２７０および排出ローラ２２０に対して接近する。従って、偏心部材２５２が偏心部材２５２の左右方向の移動範囲の左端と右端との間で移動する場合、排出ローラ２２０および第二部材２７０の左右方向の移動量よりも第一部材２６０の左右方向の移動量の方が大きい。
【０１１９】
第一部材２６０が、付勢部材２５６の付勢力に抗って第二部材２７０および排出ローラ２２０に対して接近した場合、排出ローラ２２０を対向ローラ２３０に向けて付勢する付勢部材２５６の付勢力が大きくなる。よって、印刷装置１は、偏心部材２５２の左右方向位置に応じて第二挟持位置Ｐ５の挟持荷重を調整できる。排出ローラ２２０がニップ位置にある場合、対向ローラ２３０は、テープの厚みに応じて第一部材２６０に対して接近または離隔する。この場合、テープの厚みが厚くなるに従って、第一部材２６０に第二部材２７０が接近するので、付勢部材２５６の付勢力が大きくなる。従って、印刷装置１は、テープの厚みに応じて第二挟持位置Ｐ５の挟持荷重を変化させることができる。
【０１２０】
図１３に示すように、排出ローラ２２０がニップ位置にある場合、拡径部２５３は回転軸２８３Ａに対して右側に配置される。従って、付勢部材２９７が凹部２５３Ａに係合する。この場合、付勢部材２９７は、拡径部２５３を左斜め前側に付勢する。すなわち、付勢部材２９７は、回転体２５１を底面視で反時計回り方向に付勢する。付勢部材２９７は、回転体２５１が底面視で時計回り方向に回転することで、排出ローラ２２０がニップ位置からリリース位置に移動することを規制する。付勢部材２９７の付勢力は、回転体２５１を底面視で反時計回り方向に回転させるときに要する力よりも小さい。従って、排出ローラ２２０は、付勢部材２９７の付勢力によってニップ位置に保持される。
【０１２１】
排出ローラ２２０がリリース位置にある場合、検出片２６９は可動片２９５Ａから左方に離隔する（図示略）。排出ローラ２２０がリリース位置からニップ位置に移動する過程で、検出片２６９は可動片２９５Ａを右方に押圧する。排出ローラ２２０がニップ位置まで移動すると、可動片２９５Ａは、検出片２６９によって右方に押圧されながら可動位置まで揺動する。本実施形態では、偏心部材２５２が偏心部材２５２の左右方向の移動範囲の右端に配置された場合、検出片２６９の左右方向の移動範囲の右端に配置される。この場合、可動片２９５Ａが可動位置に配置される。このように、位置検出センサ２９５は、検出片２６９（すなわち、第一部材２６０）が、検出片２６９の左右方向の移動範囲の右端に配置されているか否かを検出することで、排出ローラ２２０がニップ位置にあるか否かを検出できる。
【０１２２】
図１８を参照し、印刷装置１の電気的構成を説明する。印刷装置１は、ＣＰＵ８１を備える。ＣＰＵ８１は、後述するメイン処理を実行するプロセッサとして機能し、印刷装置１を統括制御する。ＣＰＵ８１には、フラッシュメモリ８２、ＲＯＭ８３、ＲＡＭ８４、サーマルヘッド６０、搬送モータ６８、切断モータ１０５、排出モータ２９９、入力部４、位置検出センサ２９５、マーク検出センサ３１、およびテープ検出センサ３２が接続される。フラッシュメモリ８２は、非一時的な記憶媒体であり、ＣＰＵ８１にメイン処理を実行させるためのプログラム等を記憶する。ＲＯＭ８３は、非一時的な記憶媒体であり、各種プログラムの実行時にＣＰＵ８１が必要な各種パラメータを記憶する。ＲＡＭ８４は、一時的な記憶媒体であり、タイマ、カウンタ等の一時的なデータを記憶する。
【０１２３】
テープ検出センサ３２は、テープ駆動軸６１および搬送ローラ６６よりも搬送方向下流側、且つ排出ローラ２２０よりも搬送方向上流側に設けられる。テープ検出センサ３２は、透過型のフォトセンサであり、搬送方向において第一挟持位置Ｐ２と第二挟持位置Ｐ５との間の所定の検出位置（図示略）にテープがあるか否かを検出する。テープ検出センサ３２は、検出位置にテープがある場合、検出信号を出力する。
【０１２４】
図１９から図２４を参照し、メイン処理を説明する。ユーザは、印刷装置１を印刷準備状態にした後、印刷装置１の電源を投入する。印刷装置１の電源が投入されると、ＣＰＵ８１は、フラッシュメモリ８２に記憶されたプログラムをＲＡＭ８４において展開することで、メイン処理を開始する。
【０１２５】
図１９に示すように、ＣＰＵ８１は、初期処理を行う（Ｓ１１）。初期処理では、ＣＰＵ８１は、切断モータ１０５を制御することで、切断ユニット１００を初期状態とする。ＣＰＵ８１は、排出モータ２９９を逆転駆動することで、排出ユニット２００を初期状態とする。排出ユニット２００が初期状態にある場合、排出ローラ２２０はリリース位置に配置されている。ＣＰＵ８１は、位置検出センサ２９５から検出信号が出力されていないことを検出することで、排出ユニット２００が初期状態にあることを確認する。なお、ニップ位置に排出ローラ２２０が配置されている状態が、排出ユニット２００の初期状態とされてもよい。ＣＰＵ８１は、ＲＡＭ８４に記憶されている情報をクリアする。特に、ＣＰＵ８１は、印刷実行回数カウンタの値Ｋに「０」を設定する。印刷実行回数カウンタは、ＲＡＭ８４に記憶され、印刷動作が実行された回数を計数する。
【０１２６】
ＣＰＵ８１は、テープ情報を取得する（Ｓ１２）。テープ情報は、テープの種類（レセプタテープ５、ダイカットテープ９、感熱テープ、透明フィルムテープ、両面粘着テープ等）を示し、入力部４を介してユーザによって入力される。ユーザは、使用するカセットに収容されたテープの種類に応じて、テープ情報を入力する。取得されたテープ情報は、ＲＡＭ８４に記憶される。
【０１２７】
ＣＰＵ８１は、取得されたテープ情報が示すテープが、ダイカットテープ９であるか否かを判断する（Ｓ１３）。テープがダイカットテープ９でない場合（Ｓ１３：ＮＯ）、ＣＰＵ８１は、処理をＳ２１へ進める。
【０１２８】
ダイカットテープ９では、長手方向（搬送方向）において、基材９１がある部分と基材９１がない部分とで厚みが異なるので、基材９１がある部分と基材９１がない部分との間には段差が形成される。このため、装着部６にカセットが装着された状態でダイカットテープ９の先端（搬送方向下流側の端部）が厚み方向に揺動すると、ダイカットテープ９の段差に固定刃１７９の刃先１７９Ｃ等が接触する可能性がある。ダイカットテープ９の段差には粘着層９３があるので、粘着層９３に固定刃１７９の刃先１７９Ｃ等が接触すると、剥離紙９２から基材９１が剥がれる可能性がある。ダイカットテープ９は、印刷装置１が搬送モータ６８を順送方向に回転駆動しなくても、ダイカットテープ９自身の重さによって、カセットから意図せず排出される可能性がある。
【０１２９】
テープがダイカットテープ９の場合（Ｓ１３：ＹＥＳ）、ＣＰＵ８１は、排出モータ２９９の逆転駆動を開始することで、排出ローラ２２０のニップ位置（図１６参照）への移動を開始する（Ｓ１４）。ＣＰＵ８１は、位置検出センサ２９５からの検出信号を取得すると、排出モータ２９９の逆転駆動を停止することで、排出ローラ２２０をニップ位置に停止させる（Ｓ１５）。このように、印刷装置１は、排出ローラ２２０と対向ローラ２３０との間でダイカットテープ９を挟むことで、ダイカットテープ９の先端の揺動を抑制できる。よって、印刷装置１は、ダイカットテープ９において、剥離紙９２から基材９１が剥がれることを抑制できる。印刷装置１は、排出ローラ２２０と対向ローラ２３０との間でダイカットテープ９を挟むことで、第二挟持位置Ｐ５で搬送方向下流側へのダイカットテープ９の移動を規制できる。よって、印刷装置１は、ダイカットテープ９がカセットから意図せず排出されることを抑制できる。先述したように、位置検出センサ２９５は、排出ローラ２２０がニップ位置にあるときに、検出信号を出力する。従って、ＣＰＵ８１は、位置検出センサ２９５からの検出信号に基づいて、排出ローラ２２０を確実にニップ位置に停止させることができる。
【０１３０】
ＣＰＵ８１は、印刷数を取得する（Ｓ２１）。印刷数は、印刷動作を繰り返し実行する回数を示し、入力部４を介してユーザによって入力される。取得された印刷数は、ＲＡＭ８４に記憶される。ＣＰＵ８１は、印刷指示を取得する（Ｓ２２）。印刷指示は、入力部４を介してユーザによって入力される。印刷指示には、印刷データが含まれる。ＣＰＵ８１は、印刷データに基づいて、排出停止時間を算出する（Ｓ２３）。排出停止時間は、印刷動作の開始から印刷動作の停止までにかかる印刷時間と所定の基準時間との差分の時間である。基準時間の長さは、モータ駆動時間の長さよりも短い。モータ駆動時間は、排出ローラ２２０をニップ位置からリリース位置まで移動するために排出モータ２９９を逆転駆動する時間である。すなわち、偏心部材２５２が偏心部材２５２の左右方向の移動範囲の右端から左端まで（または左端から右端まで）移動するために排出モータ２９９を逆転駆動する時間である。基準時間およびモータ駆動時間は、ＲＯＭ８３に予め記憶されている。なお、基準時間は、モータ駆動時間の長さを超えない範囲で変更可能であってもよい。算出された排出停止時間は、ＲＡＭ８４に記憶される。
【０１３１】
ＣＰＵ８１は、Ｓ１２で取得されたテープ情報が示すテープの種類が、ダイカットテープ９であるか否かを判断する（Ｓ２４）。テープがダイカットテープ９でない場合（Ｓ２４：ＮＯ）、ＣＰＵ８１は、第一頭出し処理を実行する（Ｓ２５）。テープがダイカットテープ９の場合（Ｓ２４：ＹＥＳ）、ＣＰＵ８１は、第二頭出し処理を実行する（Ｓ２６）。第一頭出し処理または第二頭出し処理の後、ＣＰＵ８１は、処理をＳ６１（図２０参照）へ進める。
【０１３２】
図２２を参照し、第一頭出し処理を説明する。第一頭出し処理では、ダイカットテープ９以外のテープ（レセプタテープ５、感熱テープ、ステンシルテープ、ラミネートテープ等）の頭出しが行われる。
【０１３３】
ＣＰＵ８１は、搬送モータ６８の逆送方向への回転駆動を開始することで、テープの逆送を開始する（Ｓ３１）。これにより、サーマルヘッド６０よりも搬送方向下流側にあるテープの長さが短くなる。ＣＰＵ８１は、逆送動作によってテープを所定量逆送させると、搬送モータ６８の回転駆動を停止することで、テープの逆送を停止する（Ｓ３２）。ＣＰＵ８１は、テープ検出センサ３２からの検出信号に基づいて、検出位置にテープがあるか否かを判断する（Ｓ３３）。テープの先端（搬送方向下流側の端部）が検出位置よりも搬送方向下流側にある場合、テープ検出センサ３２は検出信号を出力する（Ｓ３３：ＹＥＳ）。この場合、ＣＰＵ８１は、処理をメイン処理（図１９参照）へ戻す。
【０１３４】
テープの先端が検出位置よりも搬送方向上流側にある場合、テープ検出センサ３２は検出信号を出力しない（Ｓ３３：ＮＯ）。この場合、ＣＰＵ８１は、排出モータ２９９の正転駆動を開始することで、排出ローラ２２０の排出方向への回転を開始する（Ｓ３４）。これにより、排出ローラ２２０は、リリース位置に配置された状態のまま、排出方向（矢印Ｒ３）へ回転する（図１７参照）。この状態で、排出ローラ２２０にテープが接触しても、テープは第一挟持位置Ｐ２で挟まれているので、順送されない。
【０１３５】
ＣＰＵ８１は、搬送モータ６８の順送方向への回転駆動を開始することで、テープの順送を開始する（Ｓ３５）。この状態で、排出ローラ２２０にテープが接触しても、排出ローラ２２０が排出方向（矢印Ｒ３）へ回転しているので、テープの順送は妨げられない（図１７参照）。ＣＰＵ８１は、テープ検出センサ３２から検出信号を取得すると、搬送モータ６８の回転駆動を停止することで、テープの順送を停止する（Ｓ３６）。これにより、テープの先端がテープ検出センサ３２による検出位置、または検出位置よりも搬送方向下流側に配置される。ＣＰＵ８１は、排出モータ２９９の正転駆動を停止することで、排出ローラ２２０の回転を停止する（Ｓ３７）。ＣＰＵ８１は、処理をメイン処理へ戻す。
【０１３６】
第一頭出し処理が行われることで、印刷位置Ｐ１よりも搬送方向下流側にあるテープの長さが短くなる。よって、印刷装置１は、テープのうちキャラクタが印刷されない部分の面積を小さくできる。テープの先端が少なくともテープ検出センサ３２による検出位置、または検出位置よりも搬送方向下流側に配置される。検出位置は第一挟持位置Ｐ２よりも搬送方向下流側にある。よって、印刷装置１は、テープが第一挟持位置Ｐ２で挟持されないことに起因するテープの搬送不良を抑制できる。
【０１３７】
図２３を参照し、第二頭出し処理を説明する。第二頭出し処理では、ダイカットテープ９の頭出しが行われる。第二頭出し処理のうち主に第一頭出し処理とは異なる部分を説明する。
【０１３８】
ＣＰＵ８１は、排出モータ２９９の逆転駆動を開始することで、排出ローラ２２０のリリース位置への移動を開始する（Ｓ４１）。ＣＰＵ８１は、モータ駆動時間だけ排出モータ２９９を逆転駆動すると、排出モータ２９９の逆転駆動を停止することで、排出ローラ２２０をリリース位置に停止させる（Ｓ４２）。なお、排出モータ２９９には、ステッピングモータが採用されてもよい。この場合、ＣＰＵ８１は、ニップ位置に排出ローラ２２０があるときから、逆転駆動する排出モータ２９９の回転量を制御することで、排出ローラ２２０をリリース位置に停止させることができる。
【０１３９】
Ｓ４３〜Ｓ４９は、それぞれ、Ｓ３１〜Ｓ３７と同じ処理である。ＣＰＵ８１は、ダイカットテープ９の搬送中、すなわち、ダイカットテープ９の逆送中（Ｓ４３、Ｓ４４）またはダイカットテープ９の順送中（Ｓ４７、Ｓ４８）に、マーク検出センサ３１によってマーク９９が検出されたか否かを判断する（Ｓ５１）。マーク検出センサ３１は、マーク９９を検出した場合、検出信号を出力する。ダイカットテープ９の搬送中にマーク検出センサ３１からの検出信号を取得した場合（Ｓ５１：ＹＥＳ）、ＣＰＵ８１は、処理をＳ５６へ進める。
【０１４０】
ダイカットテープ９の搬送中にマーク検出センサ３１からの検出信号を取得しなかった場合（Ｓ５１：ＮＯ）、ＣＰＵ８１は、排出モータ２９９の正転駆動を開始することで、排出ローラ２２０の排出方向への回転を開始する（Ｓ５２）。これにより、排出ローラ２２０は、リリース位置に配置された状態のまま、排出方向（矢印Ｒ３）へ回転する（図１７参照）。ＣＰＵ８１は、搬送モータ６８の順送方向への回転駆動を開始することで、ダイカットテープ９の順送を開始する（Ｓ５３）。ＣＰＵ８１は、マーク検出センサ３１からの検出信号を取得すると、搬送モータ６８の順送方向への回転駆動を停止することで、ダイカットテープ９の順送を停止する（Ｓ５４）。ＣＰＵ８１は、排出モータ２９９の正転駆動を停止することで、排出ローラ２２０の回転を停止する（Ｓ５５）。
【０１４１】
ＣＰＵ８１は、補正順送量を算出する（Ｓ５６）。補正順送量は、ダイカットテープ９のうち基材９１を印刷位置Ｐ１上に配置するためにダイカットテープ９を順送する量である。ダイカットテープ９において、基材９１およびマーク９９は、それぞれ、一定間隔で配置されている。このため、ＣＰＵ８１は、マーク検出センサ３１によってマーク９９が検出されたときのダイカットテープ９の搬送方向位置を基準として、補正順送量を算出できる。算出された補正順送量は、ＲＡＭ８４に記憶される。
【０１４２】
ＣＰＵ８１は、排出モータ２９９の正転駆動を開始することで、排出ローラ２２０の排出方向への回転を開始する（Ｓ５７）。これにより、排出ローラ２２０は、リリース位置に配置された状態のまま、排出方向（矢印Ｒ３）へ回転する（図１７参照）。ＣＰＵ８１は、搬送モータ６８の順送方向への回転駆動を開始することで、ダイカットテープ９の順送を開始する（Ｓ５８）。ＣＰＵ８１は、Ｓ５６で算出された補正順送量だけダイカットテープ９を順送すると、搬送モータ６８の回転駆動を停止することで、ダイカットテープ９の順送を停止する（Ｓ５９）。これにより、ダイカットテープ９のうち基材９１が印刷位置Ｐ１上に配置される。よって、ダイカットテープ９のうち隣り合う基材９１の間（すなわち、剥離紙９２）にキャラクタが印刷されることが抑制される。ＣＰＵ８１は、排出モータ２９９の正転駆動を停止することで、排出ローラ２２０の回転を停止する（Ｓ６０）。ＣＰＵ８１は、処理をメイン処理（図１９参照）へ戻す。
【０１４３】
図２０に示すように、ＣＰＵ８１は、排出モータ２９９の正転駆動を開始することで、排出ローラ２２０の排出方向への回転を開始する（Ｓ６１）。これにより、排出ローラ２２０は、リリース位置に配置された状態のまま、排出方向（矢印Ｒ３）へ回転する（図１７参照）。この状態で、ＣＰＵ８１は、印刷動作を開始する（Ｓ６２）。詳細には、ＣＰＵ８１は、搬送モータ６８の順送方向への回転駆動を開始する。ＣＰＵ８１は、サーマルヘッド６０の複数の発熱体を選択的に発熱させる。これにより、テープは、順送されながらライン単位でキャラクタが印刷される。
【０１４４】
ＣＰＵ８１は、Ｓ６２で印刷動作を開始してから、Ｓ２３で算出された排出停止時間が経過したか否かを判断する（Ｓ６３）。排出停止時間が経過していない場合（Ｓ６３：ＮＯ）、ＣＰＵ８１は、排出停止時間が経過するまで待機する。排出停止時間が経過した場合（Ｓ６３：ＹＥＳ）、ＣＰＵ８１は、排出モータ２９９の正転駆動を停止することで、排出ローラ２２０の回転を停止する（Ｓ６４）。これにより、印刷動作の実行中に、排出ローラ２２０の排出方向への回転が停止する。ＣＰＵ８１は、排出モータ２９９の逆転駆動を開始することで、排出ローラ２２０のニップ位置（図１６参照）への移動を開始する（Ｓ６５）。すなわち、印刷動作の実行中に排出ローラ２２０のニップ位置への移動が開始される。基準時間の長さがモータ駆動時間の長さよりも短いので、印刷動作の実行中に排出ローラ２２０がニップ位置まで移動することはない。
【０１４５】
ＣＰＵ８１は、印刷動作を停止する（Ｓ６６）。詳細には、ＣＰＵ８１は、サーマルヘッド６０の制御を停止した後、搬送モータ６８の回転駆動を停止する。これにより、テープの印刷が停止され、その後、テープの順送が停止する。より詳細には、ＣＰＵ８１は、印刷動作の後にフルカット動作を行うのであれば、第一切断位置Ｐ３にテープの切断位置が配置されるように、テープの順送を停止する。ＣＰＵ８１は、印刷動作の後にパーシャルカット動作を行うのであれば、第二切断位置Ｐ４にテープの切断位置が配置されるように、テープの順送を停止する。さらに、テープがダイカットテープ９の場合には、印刷動作の後にフルカット動作を行うのであれば、ＣＰＵ８１は、マーク検出センサ３１からの検出信号に基づいて、マーク９９の搬送方向位置を特定する。ＣＰＵ８１は、特定されたマーク９９の搬送方向位置に基づいて、ダイカットテープ９のうち隣り合う基材９１の間が第一切断位置Ｐ３に配置されるように、ダイカットテープ９の順送を停止する。
【０１４６】
ＣＰＵ８１は、印刷実行回数カウンタの値Ｋに「１」を加算する（Ｓ６７）。ＣＰＵ８１は、位置検出センサ２９５からの検出信号を取得すると、排出モータ２９９の逆転駆動を停止することで、排出ローラ２２０をニップ位置に停止させる（Ｓ６８）。
【０１４７】
図２１に示すように、ＣＰＵ８１は、回転量決定テーブル３０（図２４参照）を参照することで、排出ローラ２２０の切断前回転量を決定する（Ｓ７１）。排出ローラ２２０の切断前回転量は、後述するＳ７５およびＳ７６において排出ローラ２２０が回転する量である。
【０１４８】
図２４に示すように、回転量決定テーブル３０には、テープの種類毎に排出ローラ２２０の切断前回転量が対応付けられている。図２４では、便宜的に、排出ローラ２２０の切断前回転量を、「大」、「中」「小」、「無し」で示している。排出ローラ２２０の切断前回転量は、「大」、「中」、「小」の順に小さくなる。「小」は、「０」よりも大きい回転量である。「無し」は、排出ローラ２２０の切断前回転量が「０」、すなわち、排出ローラ２２０を回転させる制御を行わないことを示す。
【０１４９】
本実施形態では、レセプタテープ５および感熱テープに、「大」が対応付けられている。ラミネートテープに、「中」が対応付けられている。ステンシルテープに、「小」が対応付けられている。ダイカットテープ９に、「無し」が対応付けられている。すなわち、回転量決定テーブル３０は、ダイカットテープ９を除き、テープが撓みやすいほど、排出ローラ２２０の切断前回転量が大きくなるように構成されている。Ｓ７１では、ＣＰＵ８１は、回転量決定テーブル３０を参照することで、Ｓ１２で取得されたテープ情報に基づいて、テープの種類に対応する排出ローラ２２０の切断前回転量に決定する。決定された排出ローラ２２０の切断前回転量は、ＲＡＭ８４に記憶される。
【０１５０】
図２１に示すように、ＣＰＵ８１は、Ｓ７１で排出ローラ２２０の切断前回転量が「無し」に決定されたか否かを判断する（Ｓ７２）。例えばダイカットテープ９の場合には、排出ローラ２２０の切断前回転量が「無し」に決定される（Ｓ７２：ＹＥＳ）。この場合、ＣＰＵ８１は、処理をＳ８１へ進める。
【０１５１】
例えば、レセプタテープ５、感熱テープ、ステンシルテープ、およびラミネートテープの場合には、排出ローラ２２０の切断前回転量が「無し」に決定されない（Ｓ７２：ＮＯ）。この場合、ＣＰＵ８１は、印刷実行回数カウンタの値Ｋが「１」であるか否かを判断する（Ｓ７３）。上述したように、印刷実行回数カウンタの値Ｋは、１回の印刷動作が実行される毎にＳ６７（図２０参照）で「１」ずつ加算される。よって、１回目の印刷動作が実行された後、２回目の印刷動作が実行される前までは、印刷実行回数カウンタの値Ｋは「１」である（Ｓ７３：ＹＥＳ）。この場合、ＣＰＵ８１は、処理をＳ７５へ進める。
【０１５２】
２回目の印刷動作が実行された後は、印刷実行回数カウンタの値Ｋは「２」以上である（Ｓ７３：ＮＯ）。この場合、ＣＰＵ８１は、排出ローラ２２０の切断前回転量を補正する（Ｓ７４）。具体的には、ＣＰＵ８１は、Ｓ７１で決定された排出ローラ２２０の切断前回転量から所定量小さい回転量に設定する。「大」、「中」、「小」のそれぞれに対応する所定量が、ＲＯＭ８３に予め記憶されている。「大」、「中」、「小」のそれぞれに対応する所定量は、「大」、「中」、「小」のそれぞれに対応する切断前回転量よりも小さい回転量である。補正された回転量は、排出ローラ２２０の切断前回転量としてＲＡＭ８４に記憶される。
【０１５３】
ＣＰＵ８１は、排出モータ２９９の正転駆動を開始することで、排出ローラ２２０の排出方向への回転を開始する（Ｓ７５）。これにより、排出ローラ２２０は、ニップ位置に配置された状態のまま、排出方向（矢印Ｒ３）へ回転する（図１６参照）。この場合、第二挟持位置Ｐ５の挟持荷重が第一挟持位置Ｐ２の挟持荷重よりも小さいので、テープは順送されない。よって、テープには搬送方向下流側に向かって張力がかかるので、仮にＳ６８（図２０参照）でテープに皺がある状態で排出ローラ２２０と対向ローラ２３０との間でテープが挟まれていたとしても、テープの皺が解消される。これにより、テープの幅方向が上下方向を向くので、印刷装置１は、後述のＳ８３またはＳ９１で精度よくテープを切断できる。上述したように、ダイカットテープ９の場合、Ｓ７５、Ｓ７６の処理が行われない。ダイカットテープ９は、隣り合う基材９１間にある剥離紙９２が切断されるので、精度よく切断する必要がない。すなわち、仮にダイカットテープ９に皺があったとしても、皺を解消する必要がないためである。
【０１５４】
ＣＰＵ８１は、Ｓ７１で決定され、またはＳ７４で補正された切断前回転量（すなわち、ＲＡＭ８４に記憶されている切断前回転量）だけ排出ローラ２２０を回転させると、排出モータ２９９の正転駆動を停止することで、排出ローラ２２０の回転を停止する（Ｓ７６）。
【０１５５】
ＣＰＵ８１は、印刷実行回数カウンタの値ＫがＳ２１（図１９参照）で取得された印刷数と等しいか否かを判断する（Ｓ８１）。印刷数分の印刷動作が終了するまでは、印刷実行回数カウンタの値Ｋは、印刷数よりも小さい（Ｓ８１：ＮＯ）。この場合、ＣＰＵ８１は、Ｓ１２（図１９参照）で取得されたテープ情報が示すテープの種類が、ダイカットテープ９であるか否かを判断する（Ｓ８２）。テープがダイカットテープ９の場合（Ｓ８２：ＹＥＳ）、ＣＰＵ８１は、処理をＳ２４（図１９参照）へ戻す。
【０１５６】
テープがダイカットテープ９でない場合（Ｓ８２：ＮＯ）、ＣＰＵ８１は、切断モータ１０５を制御することで、パーシャルカット動作を実行する（Ｓ８３）。これにより、テープは排出ローラ２２０と対向ローラ２３０との間で挟まれた状態でパーシャルカットされる。ＣＰＵ８１は、排出モータ２９９の逆転駆動を開始することで、排出ローラ２２０のリリース位置への移動を開始する（Ｓ８４）。ＣＰＵ８１は、モータ駆動時間だけ排出モータ２９９を逆転駆動すると、排出モータ２９９の逆転駆動を停止することで、排出ローラ２２０をリリース位置に停止させる（Ｓ８５）。ＣＰＵ８１は、処理をＳ２４へ戻す。これにより、印刷実行回数カウンタの値Ｋが印刷数と等しくなるまで、すなわち、印刷数分の印刷動作が終了するまで、上述したＳ２４〜Ｓ７６が繰り返し実行される。
【０１５７】
Ｓ８１において、印刷数分の印刷動作が終了した場合、印刷実行回数カウンタの値Ｋは、印刷数と等しくなる（Ｓ８１：ＹＥＳ）。この場合、ＣＰＵ８１は、切断モータ１０５を制御することで、フルカット動作を実行する（Ｓ９１）。これにより、テープは排出ローラ２２０と対向ローラ２３０との間で挟まれた状態でフルカットされる。第二挟持位置Ｐ５が第一切断位置Ｐ３よりも搬送方向下流側にあるので、切断されたテープ（元巻側から分断されたテープ）は、排出ローラ２２０と対向ローラ２３０との間で保持される。ＣＰＵ８１は、排出モータ２９９の正転駆動を開始することで、排出ローラ２２０の排出方向への回転を開始する（Ｓ９２）。これにより、排出ローラ２２０は、ニップ位置に配置された状態のまま、排出方向（矢印Ｒ３）へ回転する（図１６参照）。よって、切断されたテープが順送されて、排出口１１から印刷装置１の外部へ排出される。
【０１５８】
ＣＰＵ８１は、切断されたテープの長さに応じて、排出モータ２９９の正転駆動を停止することで、排出ローラ２２０の回転を停止する（Ｓ９３）。詳細には、切断されたテープの搬送方向上流側の端部が第二挟持位置Ｐ５に配置された場合に、ＣＰＵ８１は、排出モータ２９９の正転駆動を停止する。これにより、切断されたテープの搬送方向上流側の端部が排出ローラ２２０と対向ローラ２３０との間で挟まれる。よって、切断されたテープは、排出口１１から印刷装置１の外部に落下することなく、切断されたテープの先端（搬送方向下流側の端部）が排出口１１から突出した状態に維持される。
【０１５９】
ＣＰＵ８１は、排出モータ２９９の逆転駆動を開始することで、排出ローラ２２０のリリース位置への移動を開始する（Ｓ９４）。ＣＰＵ８１は、モータ駆動時間だけ排出モータ２９９を逆転駆動すると、排出モータ２９９の逆転駆動を停止することで、排出ローラ２２０をリリース位置に停止させる（Ｓ９５）。これにより、切断されたテープが排出口１１から印刷装置１の外部へと落下する。なお、ユーザは、Ｓ９３の後であってＳ９４の前、すなわち切断されたテープの先端（搬送方向下流側の端部）が排出口１１から突出した状態において、切断されたテープを取ってもよい。ＣＰＵ８１は、処理をＳ１１（図１９参照）へ戻す。
【０１６０】
以上説明したように、パーシャルカット機構１０１とフルカット機構１８０は、切断モータ１０５の駆動により、テープを切断する。パーシャルカット機構１０１の可動ホルダ１３０は、搬送経路１２に対して右側に設けられる。これにより、通過部６Ａよりも右側にある装着部６の部位と、可動ホルダ１３０の可動領域は、前後方向に並ぶ。従って、装着部６と可動ホルダ１３０の可動領域とが左右方向にずれる従来の実施例に比べて、装着部６と可動ホルダ１３０の可動領域とを配置するスペースは、左右方向に小さくなる。よって、印刷装置１は小型化できる。
【０１６１】
可動ホルダ１３０は、搬送経路１２よりも右側で移動可能に設けられる。搬送経路１２よりも右側にある装着部６の部位と、可動ホルダ１３０の可動領域とは、前後方向に並ぶ。これにより、装着部６と可動ホルダ１３０の可動領域を配置するスペースは、左右方向に小さくなる。よって、印刷装置１は小型化できる。
【０１６２】
軸１９９を中心とした周方向におけるアーム１４１の最大長さは、軸１７７を中心とした周方向における可動ホルダ１３０の最大長さよりも短い。換言すると、フルカット刃１４０の移動方向におけるアーム１４１の長さは、可動ホルダ１３０の移動方向における可動ホルダ１３０の長さよりも長い。これにより、アーム１４１を搬送経路１２に対して左側に配置しても、アーム１４１と装着部６を配置するスペースが左右方向に大きくなる影響は、小さい。すなわち、印刷装置１の大型化の影響は小さい。よって、印刷装置１は小型化できる。
【０１６３】
切断モータ１０５が駆動する方向に応じて、パーシャルカット機構１０１又はフルカット機構１８０がテープを切断する。より詳細には、移動機構１６０は、切断モータ１０５が一定方向に駆動する駆動力により、パーシャルカット刃１０３を受台１７３に向けて移動させ、切断モータ１０５の一定方向とは反対方向に駆動する駆動力により、フルカット刃１４０を固定刃１７９に向けて移動させる。テープに対するパーシャルカットとフルカットは、単一のモータである切断モータ１０５の駆動力により実現される。よって、印刷装置１は、簡略化できる。
【０１６４】
切断モータ１０５は、第一通過口１１８Ａよりも右側に設けられる。換言すると、切断モータ１０５は搬送経路１２よりも右側に設けられる。これにより、装着部６と切断モータ１０５を配置するスペースは、左右方向に小さくなる。よって、印刷装置１は小型化できる。
【０１６５】
固着部１３４は切断モータ１０５に後側から対向する。換言すると、切断モータ１０５は、可動ホルダ１３０に対して搬送方向の下流側から向かい合う。切断モータ１０５と可動ホルダ１３０は互いに近接する。切断モータ１０５と可動ホルダ１３０が配置されるスペースが左右方向と前後方向に小さくなるので、印刷装置１は更に小型化できる。
【０１６６】
印刷装置１は、回転体１５０の回転方向を切り替えるだけで、可動ホルダ１３０とフルカット刃１４０のいずれかを揺動させることができる。よって、印刷装置１は、パーシャルカットとフルカットの切り替えを容易に実行できる。
【０１６７】
ギア列１２４は、モータギア１０５Ｂから伝達する駆動力を回転体１５０に伝達する複数のギアである。ギア列１２４は、出力軸１０５Ａの右側に集約される。ギア列１２４は、連結ギア１２５〜１２７、特定ギア１２８を含み、連結ギア１２５〜１２７、特定ギア１２８は、上側から順に上下方向に並ぶ。ギア列１２４が、出力軸１０５Ａよりも右側に集約され、装着部６の深さ方向である上下方向に沿って配列されるので、ギア列１２４を配置するスペースは左右方向に小さくなる。さらに、ギア列１２４の最も従動側のギアである特定ギア１２８が回転体１５０の外周面と一体的に形成されるので、ギア列１２４を配置するスペースは更に小さくなる。よって、印刷装置１は更に小型化できる。
【０１６８】
アーム１４２に設けられた溝カム１４４は、搬送経路１２よりも右側にある。溝カム１４４は延伸カム１４６を備える。延伸カム１４６には、ピン１１４を介して切断モータ１０５の駆動力が伝わる。延伸カム１４６は、搬送経路１２に対して右側に設けられるので、刃先１４１Ａおよび軸１９９から離隔する。従って、延伸カム１４６からフルカット刃１４０に伝わる回転モーメントが大きくなるので、刃先１４１Ａがテープをフルカット力は大きくなる。よって、印刷装置１は、切断モータ１０５の駆動力でテープを効率良くフルカットできる。
【０１６９】
可動ホルダ１３０の下端部１３７は軸１７７に揺動可能に連結し、溝カム１３３は上端部１３８に設けられる。換言すると、刃先１０３Ａが延びる方向における刃先１０３Ａの中心よりも下側で、下端部１３７は軸１７７に回転可能に支持され、刃先１０３Ａの中心よりも上側で、切断モータ１０５の駆動力はピン１１３を介して溝カム１３３に伝わる。溝カム１３３は、刃先１０３Ａの中心よりも下端部１３７とは反対側の上側に設けられるので、刃先１０３Ａの回転中心である軸１７７から離隔する。よって、印刷装置１は、モータの駆動力により刃先１０３Ａに伝わるモーメントを大きくできるので、切断モータ１０５の駆動力で効率良くパーシャルカットできる。
【０１７０】
搬送経路１２に対して左側に設けられた排出ローラ２２０は、上下方向を軸方向として、回転軸２８５Ａと共に回転する。排出ローラ２２０は、ニップ位置とリリース位置との間を移動可能である。印刷装置１は、搬送経路１２よりも左側となるスペースを排出ローラ２２０の可動領域として有効に活用できる。よって、印刷装置１は小型化できる。
【０１７１】
通過部６Ａは、装着部６の左端部且つ前端部に形成される。排出口７３から前側へ排出されるテープは、直ぐに通過部６Ａを通過して、装着部６から前方に離隔する方向へ順送される。よって、印刷装置１は、排出口７３から排出されるテープと、装着部６との接触を抑制できる。故に、印刷装置１は、テープを適正に搬送できる。
【０１７２】
以上説明にて、テープは本発明の印刷媒体の一例である。プラテンローラ６５、搬送ローラ６６、搬送モータ６８は本発明の搬送手段の一例である。サーマルヘッド６０は本発明の印刷ヘッドの一例である。固定刃１７９は本発明の固定部の一例である。刃先１４１Ａは本発明の第一刃先の一例である。フルカット刃１４０は本発明のフルカット部の一例である。受台１７３は本発明の配置台の一例である。刃先１０３Ａは本発明の第二刃先の一例である。可動ホルダ１３０は本発明のパーシャルカット部の一例である。アーム１４１は本発明の可動部の一例である。切断モータ１０５は本発明のモータの一例である。延伸カム１４６は本発明の第一伝達部の一例である。下端部１３７は本発明の支持部の一例である。溝カム１３３は本発明の第二伝達部の一例である。対向ローラ２３０は本発明の特定部材の一例である。前後方向は本発明の搬送方向の一例である。上下方向は本発明の深さ方向の一例である。左右方向は本発明の所定方向の一例である。軸１５９を中心とした正面視時計回り方向が本発明の第一回転方向の一例である。左側は本発明の第一側の一例である。右側は本発明の第二側の一例である。下側は本発明の一方側の一例である。
【０１７３】
本発明は上記実施例に限定されない。切断ユニット１００は、チューブを印刷媒体として切断可能であってもよい。この場合、フルカット機構１８０は、固定刃１７９に代えて、まな板を備えてもよい。まな板の左面は、フルカット刃１４０の揺動方向に沿って、刃先１４１Ａと対向する。さらに、まな板の左面には、チューブの一部が進入可能な凹部が設けられる。本変変形例では、まな板が、本発明の「固定部」の一例である。
【０１７４】
搬送経路１２は、サーマルヘッド６０に対して左側となる左右方向位置に配置されてもよい。この場合、切断ユニット１００と排出ユニット２００は、図１６で示す位置よりも左側に配置される。本変形例では、サーマルヘッド６０よりも右側となる装着部６の部位と、可動ホルダ１３０の可動領域とは、前後方向に並ぶ。これにより、装着部６と、可動ホルダ１３０の可動領域とを配置するスペースは、左右方向に小さくなる。よって、印刷装置１は小型化できる。
【０１７５】
排出ユニット２００は、対向ローラ２３０に代えて特定板部材を備えてもよい。特定板部材は、前後方向と上下方向に延びる。ニップ位置にある排出ローラ２２０は、特定板部材との間でテープを挟む。ニップ位置にある排出ローラ２２０は、特定板部材との間でテープを挟む。本変形例では、特定板部材が本発明の特定部材の一例である。
【０１７６】
排出ローラ２２０は、ニップ位置とリリース位置との間を、ユーザによる手動の操作で移動してもよい。この場合、印刷装置１は、レバー（図示略）を備える。レバーは、筐体２の内部に設けられる。カバー３が開けられた場合に、ユーザはレバーを操作できる。レバーは、公知のリンク機構等を介して、排出ローラ２２０に連結する。本変形例では、ユーザがレバーを操作することによって、排出ローラ２２０はニップ位置とリリース位置との間を移動する。
【０１７７】
印刷装置１は、排出ユニット２００を備えなくてもよい。この場合であっても、搬送モータ６８の駆動することに伴い、プラテンローラ６５と搬送ローラ６６は、テープを排出口１１よりも前側まで搬送できる。従って、テープは、印刷装置１の外部へ排出される。
【符号の説明】
【０１７８】
１        印刷装置
６        装着部
６Ａ      通過部
７        カセット
６０      サーマルヘッド
６５      プラテンローラ
６６      搬送ローラ
６８      搬送モータ
７３      排出口
１０１    パーシャルカット機構
１０３Ａ  刃先
１０５    切断モータ
１０５Ａ  出力軸
１０５Ｂ  モータギア
１２４    ギア列
１２８    特定ギア
１３０    可動ホルダ
１３３    溝カム
１３７    下端部
１４０    フルカット刃
１４１    アーム
１４１Ａ  刃先
１４６    延伸カム
１５０    回転体
１６０    移動機構
１７３    受台
１７９    固定刃
１８０    フルカット機構
２２０    排出ローラ
２３０    対向ローラ
２９９    排出モータ
Ｃ        中心
【図１】
2019177489.tif 000003
【図２】
2019177489.tif 000004
【図３】
2019177489.tif 000005
【図４】
2019177489.tif 000006
【図５】
2019177489.tif 000007
【図６】
2019177489.tif 000008
【図７】
2019177489.tif 000009
【図８】
2019177489.tif 000010
【図９】
2019177489.tif 000011
【図１０】
2019177489.tif 000012
【図１１】
2019177489.tif 000013
【図１２】
2019177489.tif 000014
【図１３】
2019177489.tif 000015
【図１４】
2019177489.tif 000016
【図１５】
2019177489.tif 000017
【図１６】
2019177489.tif 000018
【図１７】
2019177489.tif 000019
【図１８】
2019177489.tif 000020
【図１９】
2019177489.tif 000021
【図２０】
2019177489.tif 000022
【図２１】
2019177489.tif 000023
【図２２】
2019177489.tif 000024
【図２３】
2019177489.tif 000025
【図２４】
2019177489.tif 000026